(57)【要約】  本発明は主として、ＰＥおよび／もしくはＰＰおよび／もしくはＰＥＴを含むもしくはそれらからなるプラスチック容器（ｉ）と、容器に収容されている特定の組成物（ｉｉ）とを含むまたはそれらからなる製品であって、容器（ｉ）とその中に含まれている組成物（ｉｉ）の間の有害な相互作用が最小化される製品に関する。【特許請求の範囲】
【請求項１】
（ｉ）ＰＥおよび／またはＰＰおよび／またはＰＥＴを含むまたはそれらからなる容器と、
（ｉｉ）容器に収容されており、下記の（Ａ）および／または（Ｂ）と、（Ｃ）と、（Ｄ）とを含みまたはそれらからなり、（Ｅ）を含んでもよいまたはそれらからなってもよい組成物と
を含むまたはそれらからなる製品であって、
群（Ａ）が存在する場合その化合物の全量は、０．５質量％以下であり、群（Ｂ）が存在する場合その化合物の全量は、１０質量％未満であり、群（Ｃ）の化合物の全量は、２０質量％以下、好ましくは１０質量％以下であり、いずれの場合も組成物の全量に対する質量％である製品。
（Ａ）下記からなる群（Ａ）から選択される１つまたは複数の化合物
−酸素百分率が化合物のモル質量に対して０である炭化水素テルペン、
好ましくは、セドレン（（１Ｓ，２Ｒ，５Ｓ）−２，６，６，８−テトラメチルトリシクロ［５．３．１．０１．５］ウンデカ−８−エン）、カリオフィレン、中国産ショウガ油、ガージャンバルサム油、ガージャンバルサムシャム、リモネン（４−イソプロペニル−１−メチル−シクロヘキセン）、テルピネン、フェランドレン、ペパーブラック油、中国産松葉油、グレープフルーツ油、ブラジル産タンジェリンクラボ油、イタリア産マンダリン油、ブラジル産オレンジ油、ライム油テルペン、レモン油テルペン、エレミ油、シメンパラ、シトリラール、ピネンアルファ、カレンデルタ−３、カンフェン、ピネンベータ、ジペンテン、ポルトガル産テレビン油、ミルセンと、
−式（Ｉ）のメチルアントラニレート誘導体
【化１】
2019532136.tif 000039
(I)
（式中、Ｒ1＝Ｈ、メチル、ベンジリデン、（２，４−ジメチルシクロヘキサ−３−エン−１−イル）メチレン、３−（４−ｔｅｒｔ−ブチルフェニル）−２−メチル−プロピリデン、２，４−ジメチルシクロヘキサ−３−エン−１−イリデン、［３−（１，３−ベンゾジオキソール−５−イル）−２−メチル−プロピリデン］または（７−ヒドロキシ−３，７−ジメチル−オクチリデン）であり、「Ｎ＝＝Ｒ1」＝「Ｎ＝Ｒ1」または「ＮＨ−Ｒ1」である）、
好ましくは、メチルアントラニレート、ジメチルアントラニレート、ベルトシン（メチル２−［（Ｅ）−（２，４−ジメチルシクロヘキサ−３−エン−１−イル）メチレンアミノ］ベンゾエート）、ベルダンチオール（メチル２−［（Ｅ）−［３−（４−ｔｅｒｔ−ブチルフェニル）−２−メチル−プロピリデン］アミノ］ベンゾエート）、アマンドレン（メチル２−［（Ｅ）−（７−ヒドロキシ−３，７−ジメチル−オクチリデン）アミノ］ベンゾエート）、アウランチオール（メチルＮ−ベンジリデンアントラニレート）、メアベルテ（メチル２−［（２，４−ジメチルシクロヘキサ−３−エン−１−イリデン）メチルアミノ］ベンゾエート）、ヘリオシン（メチル２−［（Ｅ）−［３−（１，３−ベンゾジオキソール−５−イル）−２−メチル−プロピリデン］アミノ］ベンゾエート）と、
−式（ＩＩ）のフェノール誘導体
【化２】
2019532136.tif 000040
(II)
（式中、Ｒ1＝Ｈ、メトキシ、エトキシ、またはｔｅｒｔ−ブチルであり、Ｒ2／Ｒ4＝Ｈであり、Ｒ3＝メチル、ホルミル、アリル、プロパ−１−エニル、ヒドロキシ、または３−オキソブチルであり、Ｒ5＝Ｈ、またはｔｅｒｔ−ブチルである）、
好ましくは、エチルバニリン、オイゲノール、バニリン、イソオイゲノール、ＢＨＴイオノール、４−（４−ヒドロキシフェニル）ブタン−２−オン（ｆｒａｍｂｉｎｏｎ（登録商標））、丁子葉油とケイ葉油と変色ケイ葉油とからなる群から選択される精油、
（Ｂ）下記からなる群（Ｂ）から選択される１つまたは複数の化合物
−式（ＩＩＩ）：Ｃ10ＨＸＯ（ＩＩＩ）（式中、Ｘ＝１４〜１８である）を有し、１５０〜１５４ｇ／ｍｏｌのモル質量を有する、二環式エポキシモノテルペン、単環式および二環式のモノテルペンアルコールおよびモノテルペンケトンからなる群から選択される環式モノテルペン、
好ましくは、フェンコール、イソボルネオール、ボルネオール、ユーカリプトール、１，４−シネオール、ユーカリ油、カンファー、メントン、イソメントン、カルボン、米国原産スペアミント油６５％と、
−式（ＩＶ）のメトキシベンゼン誘導体
【化３】
2019532136.tif 000041
(IV)
（式中、Ｒ1＝メチル、プロパ−１−エニル、アリル、３−オキソブチル、アセトキシメチル、２−メチル−３−オキソ−ブチル、または３−（２−エチルヘキソキシ）−３−オキソ−プロパ−１−エニルである）、
好ましくは、クレシルメチルエーテルパラ、エストラゴール、４−（４−メトキシフェニル）ブタン−２−オン（ｆｒａｍｂｉｎｏｎ（登録商標）メチルエーテル）、アニシルアセテート、カントキサール（３−（４−メトキシフェニル）−２−メチル−プロパナール）、２−エチルヘキシル（Ｅ）−３−（４−メトキシフェニル）プロパ−２−エノエート（ＮＥＯ  Ｈｅｌｉｏｐａｎ（登録商標）ＡＶ）と、
−式（Ｖ）の２−ヒドロキシ安息香酸誘導体
【化４】
2019532136.tif 000042
(V)
（式中、Ｒ1＝メチル、エチル、アミル、イソアミル、ヘキシル、２−エチルヘキシル、シクロヘキシル、ヘキサ−３−エニル、２−フェニルエチル、またはベンジルである）、
好ましくは、サリチル酸メチル、サリチル酸エチル、サリチル酸アミル、サリチル酸イソアミル、サリチル酸ヘキシル、サリチル酸２−エチルヘキシル、サリチル酸３−ヘキセニルと、
−式（ＶＩ）のベンゾエート誘導体
【化５】
2019532136.tif 000043
(VI)
（式中、Ｒ1＝メチル、エチル、ベンジル、またはヘキシルであり、Ｒ2＝Ｈ、ヒドロキシ、またはエトキシカルボニルであり、Ｒ3＝Ｈ、またはメチルであり、Ｒ4＝Ｈ、またはヒドロキシであり、Ｒ5＝Ｈであり、Ｒ6＝Ｈ、またはメチルである）、
好ましくは、安息香酸メチル、エベルニル（メチル２，４−ジヒドロキシ−３，６−ジメチル−ベンゾエート）、安息香酸ベンジル、安息香酸ヘキシル、ジエチルフタレートと、
−式（ＶＩＩ）のオキソメチルベンゼン誘導体
【化６】
2019532136.tif 000044
(VII)
（式中、Ｒ1＝Ｈ、メチル、またはフェニルであり、Ｒ2＝Ｈ、メチル、イソプロピル、またはメトキシである）、
好ましくは、ベンズアルデヒド、トリルアルデヒドパラ、クミンアルデヒド、アセトフェノン、メチルアセトフェノン、ベンゾフェノン、アニスアルデヒドと、
−式（ＶＩＩＩ）の３−オキソプロピルベンゼン誘導体
【化７】
2019532136.tif 000045
(VIII)
（式中、Ｒ1＝Ｈ、またはメチルであり、Ｒ2＝Ｈ、またはメチルであり、Ｒ3＝Ｈ、またはメチルであり、Ｒ4＝Ｈ、またはメチルであり、Ｒ5＝Ｈ、またはメチルであり、Ｒ6＝Ｈ、エチル、またはイソプロピルである）、
好ましくは、フロラゾン（３−（４−エチルフェニル）−２，２−ジメチル−プロパナールと３−（２−エチルフェニル）−２，２−ジメチル−プロパナールの混合物）、フロラロゾン（３−（４−エチルフェニル）−２，２−ジメチル−プロパナールと３−（２−エチルフェニル）−２，２−ジメチル−プロパナールの混合物）、４−メチル−４−フェニル−ペンタン−２−オン（Ｖｅｔｉｋｏｎ（登録商標））およびベンジルアセトン、シクラメンアルデヒド（３−（４−イソプロピルフェニル）−２−メチル−プロパナール）、フロルヒドラール（３−（３−イソプロピルフェニル）ブタナール）と、
−式（ＩＸ）のシクロヘキサ−３−エン−１−カルバルデヒド誘導体
【化８】
2019532136.tif 000046
(IX)
（式中、Ｒ1＝Ｈ、またはメチルであり、Ｒ2＝Ｈであり、Ｒ3＝メチル、４−ヒドロキシ−４−メチル−ペンチル、または４−メチルペンタ−３−エニルであり、Ｒ4＝Ｈであり、Ｒ5＝Ｈであり、Ｒ6＝Ｈ、またはメチルである）、
好ましくは、リグストラール（（１Ｒ，２Ｓ）−２，４−ジメチルシクロヘキサ−３−エン−１−カルバルデヒドと（１Ｓ，２Ｓ）−２，４−ジメチルシクロヘキサ−３−エン−１−カルバルデヒドの混合物）、ベルトシトラール（（１Ｒ，２Ｓ）−２，４−ジメチルシクロヘキサ−３−エン−１−カルバルデヒドと（１Ｓ，２Ｓ）−２，４−ジメチルシクロヘキサ−３−エン−１−カルバルデヒドの混合物）、リラール（４−（４−ヒドロキシ−４−メチル−ペンチル）シクロヘキサ−３−エン−１−カルバルデヒドと３−（４−ヒドロキシ−４−メチル−ペンチル）シクロヘキサ−３−エン−１−カルバルデヒドの混合物）、ベルトムガール（４−（４−メチルペンタ−３−エニル）シクロヘキサ−３−エン−１−カルバルデヒドと３−（４−メチルペンタ−３−エニル）シクロヘキサ−３−エン−１−カルバルデヒドの混合物）、ベルンアルデヒド（３−イソヘキシル−１−メチル−シクロヘキサ−３−エン−１−カルバルデヒドと４−イソヘキシル−１−メチル−シクロヘキサ−３−エン−１−カルバルデヒドの混合物）、プレシクレモンＢ（１−メチル−３−（４−メチルペンタ−３−エニル）シクロヘキサ−３−エン−１−カルバルデヒドと１−メチル−４−（４−メチルペンタ−３−エニル）シクロヘキサ−３−エン−１−カルバルデヒドの混合物）と、
−式（Ｘ）のスチレン誘導体
【化９】
2019532136.tif 000047
(X)
（式中、Ｒ1＝Ｈ、メチル、またはヒドロキシメチルであり、Ｒ2＝Ｈ、ホルミル、メトキシカルボニル、またはベンジルオキシカルボニルである）、
好ましくは、スチレン、メチルケイヒ酸アルデヒド、ケイヒ酸メチル、ケイヒ酸ベンジル、ケイヒ酸アルコールと、
−モル質量が＞２２５ｇ／ｍｏｌおよび水溶解度計算値が＜０．６ｍｇ／Ｌのアセタール、
好ましくは、パリサンダル（１，１−ジメトキシシクロドデカン）、カラナール（２−（２，４−ジメチルシクロヘキサ−３−エン−１−イル）−５−メチル−５−ｓｅｃ−ブチル−１，３−ジオキサン）、エトキシメトキシシクロドデカン（Ａｍｂｅｒｗｏｏｄ（登録商標）Ｆ）、２’，２’，８’，８’−テトラメチルスピロ［１，３−ジオキソラン−２，１０’−オクタヒドロ−１Ｈ−２，４ａ−メタノナフタレン（ｍｅｔｈａｎｏｎａｐｈｔａｌｅｎｅ）］（Ｙｓａｍｂｅｒ（登録商標）Ｋ）、（４ａＲ，５Ｒ，７ａＳ，９Ｒ）−オクタヒドロ−２，２，５，８，８，９ａ−ヘキサメチル−４Ｈ−４ａ，９−メタノズレノ［５，６−ｄ］−１，３−ジオキソール（Ａｍｂｒｏｃｅｎｉｄｅ（登録商標））、ケタンバー（ドデカヒドロ−３，８，８，１１ａ−テトラメチル−５Ｈ−３，５ａ−エポキシナフト［２，１−ｃ］オキセピン）と、
−水溶解度計算値が＜２．５ｍｇ／Ｌの環式エーテル、
好ましくは、セドランバー（セドリルメチルエーテル）、パリサンディン（メトキシシクロドデカン）、アンドラン（アルファセドレンエポキシド）、アンブロキシド（（３ａＳ，５ａＲ，９ａＲ）−３ａ，６，６，９ａ−テトラメチル−２，４，５，５ａ，７，８，９，９ｂ−オクタヒドロ−１Ｈ−ベンゾ［ｅ］ベンゾフラン）、アンブロックスＤＬ（（３ａＳ，５ａＲ，９ａＲ）−３ａ，６，６，９ａ−テトラメチル−２，４，５，５ａ，７，８，９，９ｂ−オクタヒドロ−１Ｈ−ベンゾ［ｅ］ベンゾフラン、（３ａＲ，５ａＳ，９ａＳ，９ｂＳ）−３ａ，６，６，９ａ−テトラメチル−２，４，５，５ａ，７，８，９，９ｂ−オクタヒドロ−１Ｈ−ベンゾ［ｅ］ベンゾフラン、（３ａＳ，５ａＲ，９ａＳ，９ｂＲ）−３ａ，６，６，９ａ−テトラメチル−２，４，５，５ａ，７，８，９，９ｂ−オクタヒドロ−１Ｈ−ベンゾ［ｅ］ベンゾフラン、（３ａＳ，５ａＲ，９ａＳ）−３ａ，６，６，９ａ−テトラメチル−２，４，５，５ａ，７，８，９，９ｂ−オクタヒドロ−１Ｈ−ベンゾ［ｅ］ベンゾフラン、（３ａＳ，５ａＳ，９ａＳ，９ｂＲ）−３ａ，６，６，９ａ−テトラメチル−２，４，５，５ａ，７，８，９，９ｂ−オクタヒドロ−１Ｈ−ベンゾ［ｅ］ベンゾフランおよび（３ａＲ，５ａＲ，９ａＳ，９ｂＲ）−３ａ，６，６，９ａ−テトラメチル−２，４，５，５ａ，７，８，９，９ｂ−オクタヒドロ−１Ｈ−ベンゾ［ｅ］ベンゾフランの混合物）、ガラキソリド（４，６，６，７，８，８−ヘキサメチル−１，３，４，７−テトラヒドロシクロペンタ［ｇ］イソクロメン）、
（Ｃ）下記からなる群から選択される１つまたは複数の化合物
−好ましくは、メチルイオノンアルファ、メチルイオノンベータ、メチルイオノンガンマ、メチルイオノンベータ、ジヒドロイオノンベータ、イオノンベータ、イソラルデイン、アリルイオノン、ダマセノンアルファ、ダマセノンベータ、ダマセノンガンマ、ダマセノンデルタ、ダマスコンアルファ、ダマスコンベータ、ダマスコンガンマ、ダマスコンデルタからなる群から選択される環式ジテルペンケトン、
好ましくは、イソ酪酸シトロネリル、酪酸ゲラニル、酢酸ボルニル、酢酸シトロネリル、酢酸イソボルニル、ギ酸シトロネリル、酢酸リナリル、酢酸ネリル、酢酸ゲラニル、ギ酸ゲラニル、酢酸イソアミル、エチルリナリルアセテート、ジヒドロミルセニルアセテート、チグリン酸ゲラニル、イソ吉草酸イソアミル、テトラヒドロリナリルアセテート、チグリン酸シトロネリルからなる群から選択される非環式モノテルペンエステル、
好ましくは、プロピオン酸イソボルニル、酢酸テルピニル、酢酸フェンチル、酢酸メンチル、酢酸メンタニルからなる群から選択される環式モノテルペンエステル、
好ましくは、セドロール、酢酸カリオフィレンおよび酢酸セドリルからなる群から選択されるセスキテルペンエステルおよびアルコール、
好ましくは、２，６，１０−トリメチルウンデカ−９−エナール（ｆａｒｅｎａｌ（登録商標））、（５Ｅ）−２，６，１０−トリメチルウンデカ−５，９−ジエナール（ｐｒｏｆａｒｅｎａｌ（登録商標））、ヒドロキシルシトロネラール、シトロネラール、シトラール、ユーカリ油シトリオドラ、レモングラス油コーチンからなる群から選択される非環式モノテルペンアルデヒド、および
好ましくは、ジヒドロミルセノール、リナロール、テルピネオール、シトロネロール、ゲラニオール、ネロール、ネロリドール、ファルネソール、ヒドロキシルシトロネロール、イソアミルアルコール、オシロール（７−メトキシ−３，７−ジメチル−オクタン−２−オール）、テトラヒドロゲラニオール、テトラヒドロリナロール、テトラヒドロムゴール（テトラヒドロミルセノールとテトラヒドロリナロールの混合物）、テトラヒドロミルセノール、エチルリナロール、イソボルニルシクロヘキサノール、１−［（１Ｓ，６Ｓ）−２，２，６−トリメチルシクロヘキシル］ペンタン−３−オール（ｍａｄｒａｎｏｌ（登録商標））、１−（２，２，６−トリメチルシクロヘキシル）ヘキサン−３−オール（ｔｉｍｂｅｒｏｌ（登録商標））、チモール、マイオール（（４−イソプロピルシクロヘキシル）メタノール）、ジヒドロテルピネオール、メントール、ラセミ体メントール、パイン油、コリアンダー油、パルマローザ油からなる群から選択される非環式モノテルペンアルコール
からなる群から選択されるテルペン誘導体と、
−好ましくは、２−イソブチル−４−ビニル−１，３−ジオキソラン、６，６−ジメトキシ−２，５，５−トリメチル−ヘキサ−２−エン（Ａｍａｒｏｃｉｔ（登録商標））、ヒヤシンスボディ、フロロパール、マグノラン、（２Ｒ，４Ｓ）−２−メチル−４−フェニル−１，３−ジオキソラン（Ｊａｃｉｎｔｈａｆｌｏｒ（登録商標））、フェニルアセトアルデヒドジメチルアセタール、４，４ａ，５，９ｂ−テトラヒドロインデノ［１，２−ｄ］［１，３］ジオキシン（Ｉｎｄｏｆｌｏｒ（登録商標））、シトラールジエチルアセタール、ヒドロキシルシトロネラールジメタセタール、フェニルアセトアルデヒドグリセリルアセタ−ル（（２−ベンジル−１，３−ジオキソラン−４−イル）メタノール）、ヘリオトロピン（１，３−ベンゾジオキソール−５−カルバルデヒド）、ヘリオナール（３−（１，３−ベンゾジオキソール−５−イル）−２−メチル−プロパナール）からなる群から選択される、モル質量が＜２２５ｇ／ｍｏｌおよび水溶解度計算値が＞０．６ｍｇ／Ｌのアセタール、特に好ましくは２−イソブチル−４−ビニル−１，３−ジオキソランと、
−好ましくは、酢酸、安息香酸、酪酸、ペラルゴン酸、フェニル酢酸からなる群から選択される酸と、
−好ましくは、フェニルエチルアルコール、アンブリノール（（２Ｓ，４ａＳ）−２，５，５−トリメチル−１，３，４，４ａ，６，７−ヘキサヒドロナフタレン−２−オール）、アンバーコア（１−［（１Ｒ，２Ｒ）−２−ｔｅｒｔ−ブチルシクロヘキソキシ］ブタン−２−オール、１−［（１Ｓ，２Ｒ）−２−ｔｅｒｔ−ブチルシクロヘキソキシ］ブタン−２−オールおよび２−（２−ｔｅｒｔ−ブチルシクロヘキソキシ）ブタン−１−オールの混合物）、２−メチル−４−（２，２，３−トリメチルシクロペンタ−３−エン−１−イル）ブタン−１−オール（Ｂｒａｈｍａｎｏｌ（登録商標））、コヒノール、ミュゲタノール（ｃｉｓ−１−（４−イソプロピルシクロヘキシル）エタノールとｔｒａｎｓ−１−（４−イソプロピルシクロヘキシル）エタノールの混合物）、ポリサントール（（Ｅ）−３，３−ジメチル−５−（２，２，３−トリメチルシクロペンタ−３−エン−１−イル）ペンタ−４−エン−２−オール）、ウンデカベルトール、アルコールＣ１２、ジャスモール、サンダロ−ル（３−メチル−５−（２，２，３−トリメチルシクロペンタ−３−エン−１−イル）ペンタン−２−オールと６−（２，２，３−トリメチルシクロペンタ−３−エン−１−イル）ヘキサン−３−オールの混合物）、アニシルアルコール、ヘキサノール、オクタノール、デカノール、ベンジルアルコール、ブチルシクロヘキサノールパラ−ｔｅｒｔ、デセノール−９、ジメチルベンジルカルビノール、エバノール（（Ｅ，２Ｓ，３Ｒ）−３−メチル−５−（２，２，３−トリメチルシクロペンタ−３−エン−１−イル）ペンタ−４−エン−２−オールと（Ｅ，２Ｒ，３Ｒ）−３−メチル−５−（２，２，３−トリメチルシクロペンタ−３−エン−１−イル）ペンタ−４−エン−２−オールの混合物）、フロローサ、フリーシオール（コール１１９、２，６−ジメチルヘプタン−２−オール）、フラネオール、ｃｉｓ−３−ヘキセノール、イソノナノール、２，２−ジメチル−３−（ｍ−トリル）プロパン−１−オール（Ｍａｊａｎｔｏｌ（登録商標））、３−メチル−３−メトキシブタノール、ミュゲアルコール（２，２−ジメチル−３−フェニル−プロパン−１−オール）、フェノキサノール（３−メチル−５−フェニル−ペンタン−１−オール）、フェノキシエチルアルコール、フェニルジメチルカルビノール、フェニルエチルメチルエチルカルビノール、フェニルプロピルアルコール、（２−メチル−５−フェニル−ペンタン−１−オール）（Ｒｏｓａｐｈｅｎ（登録商標））、サンダルマイソールコア（（Ｅ）−２−メチル−４−（２，２，３−トリメチルシクロペンタ−３−エン−１−イル）ブタ−２−エン−１−オール）、（Ｅ）−２−エチル−４−（２，２，３−トリメチルシクロペンタ−３−エン−１−イル）ブタ−２−エン−１−オール（Ｓａｎ−ｄｒａｎｏｌ（登録商標））、スチラリルアルコール、４−イソペンチルシクロヘキサノール（Ｓｙｍｒｏｓｅ（登録商標））、ジヒドロオイゲノール、プロペニルグエトール、クレゾールパラ、アンブリノールエポキシド（（１ａＲ，４ａＳ，７Ｓ，８ａＳ）−４，４，７−トリメチル−２，３，４ａ，５，６，８−ヘキサヒドロ−１ａＨ−ナフト［１，８ａ−ｂ］オキシレン−７−オール）からなる群から選択されるアルコールと、
−好ましくは、アルデヒドＣ１２  ＭＮＡ、ネオシクロシトラール、アルデヒドＣ１１  ＭＯＡ、ヘキシルケイヒアルデヒドアルファ、シクロミラール、アミルケイヒアルデヒド、デカナール、２，６−ジメチルヘプタ−５−エナール（Ｍｅｌｏｎａｌ（登録商標））、ノナナール、イソノニルアルデヒドＳ、オクタナール、アルデヒドＣ１１  ｉｓｏ、イントレレベンアルデヒド（ウンデカ−１０−エナール、９−ウンデセナールおよび８−ウンデセナールの混合物）、リリアール（３−（４−ｔｅｒｔ−ブチルフェニル）−２−メチル−プロパナール）、ヘキサナール、ヘプタナール、シルビアール（３−（４−イソブチルフェニル）−２−メチル−プロパナール）、２−ｔｒａｎｓ−ヘキセナール、ブルゲオナール（３−（４−ｔｅｒｔ−ブチルフェニル）プロパナール）、センテナール（オクタヒドロ−５−メトキシ−４，７−メタノ−１Ｈ−インデン−２−カルボキサルデヒド）、フェニルアセトアルデヒド、マンダリンアルデヒド（２Ｅ−ドデセナール）からなる群から選択されるアルデヒドと、
−好ましくは、ピロプルナト（（２−シクロペンチルシクロペンチル）（Ｅ）−ブタ−２−エノエート）、ヘルコリンＤ−Ｅ（メチル７−イソプロピル−１，４ａ−ジメチル−２，３，４，５，６，７，８，９，１０，１０ａ−デカヒドロフェナントレン−１−カルボキシレートとメチル７−イソプロピル−１，４ａ−ジメチル−２，３，４，９，１０，１０ａ−ヘキサヒドロフェナントレン−１−カルボキシレートの混合物）、フルテート、シクラビュート（３ａ，４，５，６，７，７ａ−ヘキサヒドロ−４，７−メタノ−１Ｈ−インデン−５−イル２−メチルプロパノエート）、ポアブロール（メチル（１Ｓ，４Ｒ，５Ｒ）−４−イソプロピル−１−メチル−ビシクロ［２．２．２］オクタ−２−エン−５−カルボキシレート、メチル（１Ｓ，４Ｒ，５Ｓ）−４−イソプロピル−１−メチル−ビシクロ［２．２．２］オクタ−２−エン−５−カルボキシレート、メチル（１Ｒ，２Ｓ，４Ｒ）−４−イソプロピル−１−メチル−ビシクロ［２．２．２］オクタ−５−エン−２−カルボキシレートおよびメチル（１Ｒ，２Ｒ，４Ｒ）−４−イソプロピル−１−メチル−ビシクロ［２．２．２］オクタ−５−エン−２−カルボキシレートの混合物）、グアイオールアセテート、ハービルプロピオネート（ヘキサヒドロ−４，７−メタノインデン−５（または６）−イルプロピオネート）、ベチベリルアセテート、ノピルアセテート、ヒドロハーバフロレイト、ハーバフロレイト（ヘキサヒドロ−４，７−メタノインデン−（５および６）−イルアセテート）、ケイヒ酸エチル、ケイヒ酸フェニルエチル、イソオイゲニルメチルエーテル、酢酸イソオイゲニル、酢酸オイゲニル、安息香酸エチル、サリチル酸イソブチル、サリチル酸プレニル、ジメチルベンジルカルボニルブチレート、イソ吉草酸エチルフェニル、酪酸ベンジル、イソ酪酸ベンジル、ジメチルベンジルカルボニルアセテート、イソ酪酸フェニルエチル、プロピオン酸ベンジル、酢酸フェニルエチル、（１，３−ジメチル−３−フェニル−ブチル）アセテート（Ｖｅｔｉｋｏｌａｃｅａｔｅ（登録商標））、酢酸ベンジル、エチルフェニルアセテート、メチルフェニルアセテート、酢酸スチラリル、フェニルエチルフェニルアセテート、ギ酸ベンジル、２−フェノキシエチル２−メチルプロパノエート（Ｐｈｅｎｉｒａｔｅ（登録商標））、フェニル酢酸ベンジル、いわゆるアルデヒドＣ１６、フェノキシ酢酸アリル、フェニル酢酸クレシルパラ、ロサセテート、ミリスチン酸イソプロピル、カプロン酸ヘキシル、カプリン酸エチル、酢酸デシル、カプリル酸エチル、酪酸ヘキシル、イソ酪酸ヘキシル、ヘプタン酸エチル、酪酸イソアミル、酪酸ブチル、ヘプタン酸アリル、カプロン酸エチル、マンザネート、酢酸ネオノニル、２−メチル酪酸エチル、フルチナト、イソペンチレート、カプロン酸アリル、酪酸エチル、イソ吉草酸エチル、酢酸アミル、酢酸ヘキシル、イソ酪酸エチル、酢酸ブチル、酢酸イソブチル、プロピオン酸エチル、酢酸ｃｉｓ−３−ヘキセニル、［（Ｚ）−ヘキサ−３−エニル］メチルカーボネート（Ｌｅａｆｏｖｅｒｔ（登録商標））、酢酸プレニル、メチルオクチンカーボネート、アリルアミルグリコレート、酢酸エチル、ブチリル乳酸ブチル、マロン酸ジエチル、アセト酢酸エチル、（３−ヒドロキシ−２，２，４−トリメチル−ペンチル）２−メチルプロパノエート（Ｓｙｍｆｒｅｓｈ（登録商標）ＮＸ）、アリルシクロヘキシルプロピオネート、ジベスコン（エチル２，３，６，６−テトラメチルシクロヘキサ−２−エン−１−カルボキシレートとエチル２−エチル−６，６−ジメチル−シクロヘキサ−２−エン−１−カルボキシレートの混合物）、ミントナット（［（１Ｓ，５Ｓ）−３，３，５−トリメチルシクロヘキシル］アセテートと［（１Ｒ，５Ｓ）−３，３，５−トリメチルシクロヘキシル］アセテートの混合物）、オリクロン（（４−ｔｅｒｔ−ブチルシクロヘキシル）アセテート）、アグルメックスＨＣ（［（１Ｓ，２Ｓ）−２−ｔｅｒｔ−ブチルシクロヘキシル］アセテート）、アフェルマート（１−（３，３−ジメチルシクロヘキシル）エチルホルメート）、酢酸シクロヘキシルエチル、ダチラト（１−シクロヘキシルエチル（Ｅ）−ブタ−２−エノエート）、ヘルベトリド（２−［１−（３，３−ジメチルシクロヘキシル）エトキシ］−２−メチル−プロピル］プロパノエート）、酢酸ミラルディル（［３−（４−メチルペンタ−３−エニル）シクロヘキサ−３−エン−１−イル］メチルアセテートと［４−（４−メチルペンタ−３−エニル）シクロヘキサ−３−エン−１−イル］メチルアセテートの混合物）、酢酸シクロヘキシル、アリル２−（シクロヘキソキシ）アセテート（Ｃｙｃｌｏｇａｌｂａｎａｔｅ（登録商標））、ジャスモピラン（（３−ペンチルテトラヒドロピラン−４−イル）アセテート）、ジェセマール（（３−ブチルテトラヒドロ−５−メチル−２Ｈ−ピラン−４−イル）アセテート、ブラシル酸エチレン（１，４−ジオキサシクロヘプタデカン−５，１７−ジオン）、エチレンドデカンジオエートａｒｏｖａ  Ｎ、エチル２−（２，４−ジメチル−１，３−ジオキソラン−２−イル）アセテート（Ｆｒａｇｏｌａｎｅ（登録商標））、ヘディオン（メチル２−［（１Ｓ，２Ｓ）−３−オキソ−２−ペンチル−シクロペンチル］アセテートとメチル２−［（１Ｓ，２Ｒ）−３−オキソ−２−ペンチル−シクロペンチル］アセテートの混合物）、ジャスマプルナト（エチル２−（２−メチル−１，３−ジオキソラン−２−イル）アセテート）、ジャスモポルＡＣ１３００（メチル２−ヘキシル−３−オキソ−シクロペンタンカルボキシレート）、マルトールイソブチレート、クエン酸トリエチルからなる群から選択されるエステルと、
−好ましくは、アンサー、ローズオキシドＨＣ（（２Ｒ，４Ｓ）−４−メチル−２−（２−メチルプロパ−１−エニル）テトラヒドロピランと（２Ｓ，４Ｓ）−４−メチル−２−（２−メチルプロパ−１−エニル）テトラヒドロピランの混合物）、ローズオキシドＬ（（２Ｒ，４Ｓ）−４−メチル−２−（２−メチルプロパ−１−エニル）テトラヒドロピランと（２Ｓ，４Ｓ）−４−メチル−２−（２−メチルプロパ−１−エニル）テトラヒドロピランの混合物）、不活性ローズオキシド（（２Ｒ，４Ｓ）−４−メチル−２−（２−メチルプロパ−１−エニル）テトラヒドロピランと（２Ｓ，４Ｓ）−４−メチル−２−（２−メチルプロパ−１−エニル）テトラヒドロピランの混合物）、ジフェニルオキシド、フェニルエチルメチルエーテル、ジベンジルエーテル、ケファリス（４−（１−エトキシビニル）−３，３，５，５−テトラメチル−シクロヘキサノン）、リナロールオキシド、ドワノールＤＰＭ（３−（３−メトキシプロポキシ）プロパン−１−オール）からなる群から選択される、水溶解度計算値が＞２．５ｍｇ／Ｌのエーテルおよび環式エーテルと、
−好ましくは、オキサンチア（（２Ｓ，４Ｒ）−２−メチル−４−プロピル−１，３−オキサチアンと（２Ｒ，４Ｒ）−２−メチル−４−プロピル−１，３−オキサチアンの混合物）、イソブチルキノロン、イソブチルキノロンＤＬ、スルフロール（２−（４−ジメチルチアゾル−５−イル）エタノール）、インドールからなる群から選択されるヘテロ環化合物と、
−好ましくは、シクロヘキサデカノン（Ｉｓｏｍｕｓｃｏｎｅ（登録商標））、ベルトフィックス、ベルートン、ムセノン、４−［（３，３−ジメチルノルボルナン−２−イル）メチル］−２−メチル−シクロヘキサノン（Ａｌｄｒｏｎ（登録商標））、イソロンギホラノン（オクタヒドロテトラメチルメタノアズレノン）、（８Ｅ）−シクロヘキサデカ−８−エン−１−オン（Ｇｌｏｂａｎｏｎｅ（登録商標））、２，４，４，７−テトラメチルオクタ−６−エン−３−オン（Ｃｌａｒｉｔｏｎｅ（登録商標））、イソＥスーパー（１−［（２Ｒ，３Ｒ）−２，３，８，８−テトラメチル−１，３，４，５，６，７−ヘキサヒドロナフタレン−２−イル］エタノン、１−（２，３，８，８−テトラメチル−１，３，５，６，７，８ａ−ヘキサヒドロナフタレン−２−イル）エタノンおよび１−［（２Ｓ，３Ｓ）−２，３，８，８−テトラメチル−１，３，５，６，７，８ａ−ヘキサヒドロナフタレン−２−イル］エタノンの混合物）、（８Ｅ）−シクロヘキサデカ−８−エン−１−オン（Ａｕｒｅｌｉｏｎｅ（登録商標））、プロジャスモンＰ（２−ヘプチルシクロペンタノン）、フレスコメンテ（２−ｓｅｃ−ブチルシクロヘキサノン）、ダイナスコン（１−（５，５−ジメチルシクロヘキセン−１−イル）ペンタ−４−エン−１−オン、１−（３，３−ジメチルシクロヘキセン−１−イル）ペンタ−４−エン−１−オンおよび（Ｅ）−１−（２，６，６−トリメチルシクロヘキサ−２−エン−１−イル）ブタ−２−エン−１−オンの混合物）、ガルバスコン（１−（５，５−ジメチルシクロヘキセン−１−イル）ペンタ−４−エン−１−オン）、ウンデカノン−２、コアボン（（Ｅ）−３，４，５，６，６−ペンタメチルヘプタ−４−エン−２−オン、３，５，６，６−テトラメチル−４−メチレン−ヘプタン−２−オンおよび（Ｅ）−３，４，５，６，６−ペンタメチルヘプタ−３−エン−２−オンの混合物）、トナリド（１−（１，１，２，４，４，７−ヘキサメチルテトラリン−６−イル）エタノン）、ネロリオン（１−（３−メチルベンゾフラン−２−イル）エタノン）、２−オクタノン、カシュメラン（１，１，２，３，３−ペンタメチル−２，５，６，７−テトラヒドロインデン−４−オン）、オリボン（４−（１，１−ジメチルプロピル）シクロヘキサノン）、アザルブル（３，５−ジエチル−２，５−ジメチル−シクロヘキサ−２−エン−１−オンと３，５−ジエチル−５，６−ジメチル−シクロヘキサ−２−エン−１−オンの混合物）、メチルヘプテノン−６，５，２、ジヒドロジャスミン（３−メチル−２−ペンチル−シクロペンタ−２−エン−１−オン）、ｃｉｓ−ジャスミン（３−メチル−２−［（Ｚ）−ペンタ−２−エニル］シクロペンタ−２−エン−１−オン）、アセトアニソール、カロン１９５１（７−メチル−１，５−ベンゾジオキセピン−３−オン）、アセチルメチルカルビノール、クリソリド（１−（６−ｔｅｒｔ−ブチル−１，１−ジメチル−インダン−４−イル）エタノン）、エチルマルトール、マルトール、３−メチル−２−シクロペンテン−２−オールオンからなる群から選択されるケトンと、
−好ましくは、オキサシクロヘキサデカン−２−オン（Ｍａｃｒｏｌｉｄｅ（登録商標）ｓｕｐｒａ）、（１２Ｅ）−１−オキサシクロヘキサデカ−１２−エン−２−オンと（１２Ｚ）−１−オキサシクロヘキサデカ−１２−エン−２−オンと（１３Ｅ）−１−オキサシクロヘキサデカ−１３−エン−２−オン（Ｇｌｏｂａｌｉｄｅ（登録商標））との混合物、アンブレットリド（（１０Ｅ）−１−オキサシクロヘプタデカ−１０−エン−２−オン）、いわゆるアルデヒドＣ１４、いわゆるアルデヒドＣ１８、デカラクトン、ドデカラクトン、クマリン、ヘプタラクトン、オクタヒドロクマリン、オクタラクトン、メチルレイトン（８−メチル−４−オキサスピロ［４．５］デカン−３−オン）からなる群から選択されるラクトンと、
−好ましくは、オゾニル、クロナ−ル、２−（２，２，３−トリメチルシクロペンタ−３−エン−１−イル）アセトニトリル（Ｃａｎｔｒｙｌ（登録商標））、レモニール（（２Ｅ，６Ｅ）−３，７−ジメチルノナ−２，６−ジエンニトリル）、アグルニトリル（３，７−ジメチルオクト−６−エンニトリル）、ペオニル（２−シクロヘキシリデン−２−フェニル−アセトニトリル）、シンナミルニトリル、シトロニトリル（（Ｅ）−３−メチル−５−フェニル−ペンタ−２−エンニトリル）からなる群から選択されるニトリル、
（Ｄ）水
および／または
エタノール、ジプロピレングリコール（ＤＰＧ）、ジエチルフタレート（ＤＥＰ）、プロピレングリコール（ＰＧ）、ミリスチン酸イソプロピル（ＩＰＭ）、イソプロピルパルミテート（ＩＰＰ）、トリエチルシトレート（ＴＥＣ）、２−プロパノール、トリアセチン（ＴＲＩ）、１，２−プロパンジオール、１，３−プロパンジオール、プロパントリオール、１，２−ペンタンジオール（Ｈｙｄｒｏｌｉｔｅ（登録商標）−５）、１，２−ヘキサンジオール（Ｈｙｄｒｏｌｉｔｅ（登録商標）−６）、１，２−オクタンジオール（Ｈｙｄｒｏｌｉｔｅ（登録商標）−８）、１，２−デカンジオール（ＳｙｍＣｌａｒｉｏｌ（登録商標））、ドデカノール、４−ヒドロキシ−アセトフェノン（ＳｙｍＳａｖｅ（登録商標）Ｈ）、グリセリン、ブチレングリコール、ペンチレングリコール、ヘキシレングリコール、デシレングリコール、プロピレンカーボネート、ブチレンカーボネート、グリセリンカーボネート、２−ベンジルヘプタノール、ラウリルアルコール、トリメチルヒドロキシペンチルイソブチレート、グリセリルカプリレート、エチルヘキシルグリセリン、安息香酸ベンジル（ＢＢ）、イソパラフィン、グリコールエーテル、ドワノールからなる群から選択され、
好ましくは、エタノール、ＤＰＧ、ＰＧ、ＩＰＭ、ＴＥＣ、１，２−プロパンジオール、１，３−プロパンジオール、プロパントリオール、１，２−ペンタンジオール（Ｈｙｄｒｏｌｉｔｅ（登録商標）−５）、１，２−ヘキサンジオール（Ｈｙｄｒｏｌｉｔｅ（登録商標）−６）、１，２−オクタンジオール（Ｈｙｄｒｏｌｉｔｅ（登録商標）−８）、１，２−デカンジオール（ＳｙｍＣｌａｒｉｏｌ（登録商標））、ドデカノール、４−ヒドロキシ−アセトフェノン（ＳｙｍＳａｖｅ（登録商標）Ｈ）、グリセリン、アイソパー−Ｌからなる群から選択され、
より好ましくは、エタノール、ＤＰＧ、ＩＰＭ、１，２−プロパンジオール、１，３−プロパンジオールからなる群から選択される、１つまたは複数の溶媒、
（Ｅ）アルキルカルボキシレート、アルキルスルホネート、アルキルスルフェート、アルコールポリグリコールエーテルスルフェート、第四級アンモニウムカチオン、第四級アンモニウムエステル、アルコールポリグリコールエーテル、Ｎ−（アシルアミノアルキル）−ベタイン、ポリエチレングリコールアルキルエーテル、アルキルベンゼンスルホネート、ＴＥＡエステル四級塩からなる群から選択され、
より好ましくは、ラウリルエーテルスルフェート、ベタイン、ラウリルアルキルスルフェート、ＰＥＧ水添ヒマシ油、ラウレス−５、ラウレス−６、ラウレス−７、ジアルキルエステルアンモニウムエトスルフェート、ステアリン酸ナトリウム、パルミチン酸ナトリウム、ポリエチレングリコール、ステアリン酸亜鉛、カプリル酸ナトリウム、ラウリン酸、アイソパー−Ｌ、ドデシルベンゼンスルホン酸ナトリウム、二水素化牛脂エチルヒドロキシエチルモニウムメトスルフェートからなる群から選択される、１つまたは複数の表面活性化合物。
【請求項２】
組成物が、モル質量が＜２２５ｇ／ｍｏｌおよび水溶解度計算値が＞０．６ｍｇ／Ｌのアセタールからなる群、好ましくは２−イソブチル−４−ビニル−１，３−ジオキソラン、６，６−ジメトキシ−２，５，５−トリメチル−ヘキサ−２−エン（Ａｍａｒｏｃｉｔ（登録商標））、ヒヤシンスボディ、フロロパール、マグノラン、（２Ｒ，４Ｓ）−２−メチル−４−フェニル−１，３−ジオキソラン（Ｊａｃｉｎｔｈａｆｌｏｒ（登録商標））、フェニルアセトアルデヒドジメチルアセタール、４，４ａ，５，９ｂ−テトラヒドロインデノ［１，２−ｄ］［１，３］ジオキシン（Ｉｎｄｏｆｌｏｒ（登録商標））、シトラールジエチルアセタール、ヒドロキシルシトロネラールジメタセタール、フェニルアセトアルデヒドグリセリルアセタ−ル、ヘリオトロピン、ヘリオナールからなる群から選択される１つまたは複数の化合物、好ましくは２−イソブチル−４−ビニル−１，３−ジオキソランを含む、請求項１に記載の製品。
【請求項３】
容器が、ＰＥおよび／またはＰＰ、好ましくはＰＥ、より好ましくはＨＤＰＥおよび／またはＬＤＰＥを含むまたはそれらからなる、請求項１または２に記載の製品。
【請求項４】
容器が、好ましくはラッピング、箱詰め、パッケージング、シェル、コーティング、またはエンベロープ、好ましくはパッケージングの形態をした、輸送、取扱いおよび／または貯蔵用の容器である、請求項１から３のいずれか１項に記載の製品。
【請求項５】
群（Ａ）が存在する場合その化合物の全量が、０．０５質量％〜０．５質量％の範囲であり、群（Ｂ）が存在する場合その化合物の全量が、０．０１質量％〜１０質量％未満の範囲であり、より好ましくは０．０１質量％〜１．２５質量％の範囲であり、いずれの場合も組成物の全量に対する質量％である、請求項１から４のいずれか１項に記載の製品。
【請求項６】
成分（Ｄ）による水が存在する場合その全量が、組成物の全量に対して０．０００１質量％〜９９質量％、好ましくは０．１質量％〜９９質量％、より好ましくは３５質量％〜９９質量％の範囲である、請求項１から５のいずれか１項に記載の製品。
【請求項７】
成分（Ｄ）による溶媒が存在する場合その全量が、組成物の全量に対して０．００１質量％〜９９質量％の範囲である、請求項１から６のいずれか１項に記載の製品。
【請求項８】
成分（Ｅ）による表面活性化合物が存在する場合その全量が、組成物の全量に対して０．５質量％〜５０質量％の範囲である、請求項１から７のいずれか１項に記載の製品。
【請求項９】
製品または組成物（ｉｉ）が、洗濯物ケア（例えば、柔軟剤、洗剤、重質洗剤、液体洗剤、粉末洗剤、ファブリック（リ）フレッシャー、インウォッシュ香料、インウォッシュセントブースター）、ホームケア（例えば、洗浄剤）、空気ケア（例えば、含水エアフレッシュナー、エアフレッシュナー、電気機器、膜エアフレッシュナー）、パーソナルケア（例えば、クリーム、ボディローション、シャンプー、コンディショナー、シャワー用ゲル、毛髪スプレー、日焼け止めローション／スプレー、防臭剤）、口腔ケア（例えば、練り歯磨き、マウスウォーター）、香料製品（例えば、ＥＤＴ、ＥｄＣ）に由来する製品からなる群から選択される、請求項１から８のいずれか１項に記載の製品。
【請求項１０】
請求項１から９のいずれか１項に記載の製品を生成する方法であって、
（Ｉ）ＰＥおよび／またはＰＰおよび／またはＰＥＴを含むまたはそれらからなる容器（ｉ）、好ましくは請求項２または３に記載の容器を用意するステップと、
（ＩＩ）請求項１、２または５から９のいずれか１項に記載の組成物（ｉｉ）を用意するステップと、
（ＩＩＩ）組成物（ｉｉ）を容器（ｉ）に充填するステップと、
（ＩＶ）１つまたは複数の別の物質を容器に充填してもよいステップと、
（Ｖ）容器を閉鎖および／または密封してもよいステップと
からなるまたはそれらを含む方法。
【発明の詳細な説明】
【技術分野】
【０００１】
本発明は、主に、ＰＥおよび／またはＰＰおよび／またはＰＥＴを含むまたはそれらからなる容器と、容器に収容されており、酸素百分率が０の炭化水素テルペンと、（本明細書に記載される）式（Ｉ）のメチルアントラニレート誘導体と、（本明細書に記載される）式（ＩＩ）のフェノール誘導体とからなる群（Ａ）から選択される１つもしくは複数の化合物および／または（本明細書に記載される）特定の環式モノテルペンと、（本明細書に記載される）式（ＩＶ）のメトキシベンゼン誘導体と、（本明細書に記載される）式（Ｖ）の２−ヒドロキシ安息香酸誘導体と、（本明細書に記載される）式（ＶＩ）のベンゾエート誘導体と、（本明細書に記載される）式（ＶＩＩ）のオキソメチルベンゼン誘導体と、（本明細書に記載される）式（ＶＩＩＩ）の３−オキソプロピルベンゼン誘導体と、（本明細書に記載される）式（ＩＸ）のシクロヘキサ−３−エン−１−カルバルデヒド誘導体と、（本明細書に記載される）式（Ｘ）のスチレン誘導体と、モル質量が＞２２５ｇ／ｍｏｌおよび水溶解度計算値が＜０．６ｍｇ／Ｌのアセタールと、水溶解度計算値が＜２．５ｍｇ／Ｌの環式エーテルとからなる群（Ｂ）から選択される１つもしくは複数の化合物と、（（本明細書に記載される）環式ジテルペンケトンと、（本明細書に記載される）非環式モノテルペンエステルと、（本明細書に記載される）環式モノテルペンエステルと、（本明細書に記載される）セスキテルペンエステルおよびアルコールと、（本明細書に記載される）非環式モノテルペンアルデヒドと、非環式モノテルペンアルコールとからなる群から選択される）テルペン誘導体と、モル質量が＜２２５ｇ／ｍｏｌおよび水溶解度計算値が＞０．６ｍｇ／Ｌの（本明細書に記載される）アセタールと、（本明細書に記載される）酸と、（本明細書に記載される）アルコールと、（本明細書に記載される）アルデヒドと、（本明細書に記載される）エステルと、水溶解度計算値が＞２．５ｍｇ／Ｌの（本明細書に記載される）エーテルおよび環式エーテルと、（本明細書に記載される）ヘテロ環化合物と、（本明細書に記載される）ケトンと、（本明細書に記載される）ラクトンと、（本明細書に記載される）ニトリルとからなる群（Ｃ）から選択される１つまたは複数の化合物と、（Ｄ）水および／または１つもしくは複数の（本明細書に記載される）溶媒とを含みまたはそれらからなり、（Ｅ）１つもしくは複数の表面活性化合物を含んでもよいまたはそれらからなってもよい組成物とを含むまたはそれらからなる製品であって、群（Ａ）が存在する場合その化合物の全量は、０．５質量％以下であり、群（Ｂ）が存在する場合その化合物の全量は、１０質量％未満であり、群（Ｃ）の化合物の全量は、２０質量％以下、好ましくは１０質量％以下であり、いずれの場合も組成物の全量に対する質量％である製品に関する。本発明はまた、前記製品を生成する方法にも関する。
【０００２】
本発明の別の態様は、下記の説明、特に例、および添付の特許請求の範囲から現れる。
【背景技術】
【０００３】
ある種の物質、特にフレグランスならびに／またはフレグランスおよび／もしくはフレーバリング組成物中に含まれるフレーバリング物質および香油が、輸送、取扱いおよび／または貯蔵のために収容されているプラスチックパッケージングと相互作用することは、周知の問題である。物質のタイプおよび濃度に応じて、物質は、プラスチック中にまたはそれを通して拡散し、不都合なことには、
−フレグランスおよび／または組成物のフレーバリング物質の損失、
−プラスチックまたはパッケージングそれぞれの変形、
−プラスチックをねばねば、べたべた、または多孔にするなど、プラスチックの特性の変化、
−プラスチックの（例えば、黄色、茶色、ガラス状／半透明などへの）色変化、
−プラスチックパッケージングの印刷／ラベルの汚れまたは剥がれ、
−応力破壊腐食（特にポリエチレンテレフタラートベースパッケージングの場合）、ならびに
−ＵＶ照射曝露下におけるプラスチックの（特定波長での照射により部分的に加速される）破壊
などの問題を生じるおそれがある。
【０００４】
さらに、上記のプラスチック容器に対する損傷は、界面活性剤、可溶化剤および乳化剤などの表面活性化合物が存在すると、悪化するまたはより頻繁に生ずる可能性があることがわかった。これは、価値あるフレグランスならびに／またはフレグランスおよび／もしくはフレーバリング物質組成物からのフレーバリング物質の損失を引き起こし、製品の嗅覚的な印象を経時的に変化させることになる。さらに、プラスチックパッケージングのラベルが判読できなくなることがあり、警告ラベルの場合は特に不利である。最後に、変色または変形したパッケージングを含む製品は、顧客に販売するのが難しく、製品価値の損失および顧客の苦情につながる。
【０００５】
前述のプラスチック容器は、例えばポリエチレン（ＰＥ）、ポリプロピレン（ＰＰ）およびポリエチレンテレフタラート（ＰＥＴ）またはそれらの混合物から作製することができる。特に、これらの材料に関して、ポリエチレン（ＰＥ）、ポリプロピレン（ＰＰ）およびポリエチレンテレフタラート（ＰＥＴ）などパッケージングの目的で使用されるプラスチックと、特にその中に収容されているフレグランスおよび／もしくはフレーバリング物質とを含むまたはそれらからなる製品であって、フレグランスおよび／もしくはフレーバリング物質の組成物またはそれらを含む組成物は、プラスチックパッケージングが製品の全生活環において変化も損傷もされないようなものである製品が継続して求められている。好ましくは、組成物は、上記の有害な影響の１つまたは複数、好ましくはこれらの影響のすべてが回避されるまたは少なくとも低減されるようなものである。
【０００６】
上記の問題を解決する先行技術の一手法は、例えばＰＥ／エチレンビニルアルコール（ＥＶＯＨ）で作製された中間バルク容器（ＩＢＣ）など異なるタイプのプラスチックの組合せシステムを容器として使用することであった。しかし、ＥＶＯＨは、その有利な特性にもかかわらず、合成するのが難しく、したがってこのタイプのプラスチックを含む容器の生成はより高価である。
【発明の概要】
【０００７】
したがって、本発明の目的は、ＰＥおよび／またはＰＰおよび／またはＰＥＴから作製されるものなど低コスト標準プラスチック容器での貯蔵に適合する組成物を提供することであった。
以下の説明および本特許請求の範囲から、本発明の基礎にある別の目的が続く。
本発明の第１の態様によれば、記載の目的は、
（ｉ）ＰＥおよび／またはＰＰおよび／またはＰＥＴを含むまたはそれらからなり、好ましくはＬＤＰＥおよび／もしくはＨＤＰＥならびに／またはＰＰならびに／またはＰＥＴから作製される容器と、
（ｉｉ）容器に収容されており、下記の（Ａ）および／または（Ｂ）と、（Ｃ）と、（Ｄ）とを含みまたはそれらからなり、（Ｅ）を含んでもよいまたはそれらからなってもよい組成物と
を含むまたはそれらからなる製品であって、
群（Ａ）が存在する場合その化合物の全量は、０．５質量％以下であり、群（Ｂ）が存在する場合その化合物の全量は、１０質量％未満であり、群（Ｃ）の化合物の全量は、２０質量％以下、好ましくは１０質量％以下であり、いずれの場合も組成物の全量に対する質量％である製品
によって達成される。
【０００８】
（Ａ）下記からなる群（Ａ）から選択される１つまたは複数の化合物
−酸素百分率が化合物のモル質量に対して０である炭化水素テルペン、
好ましくは、セドレン（（１Ｓ，２Ｒ，５Ｓ）−２，６，６，８−テトラメチルトリシクロ［５．３．１．０１．５］ウンデカ−８−エン）、カリオフィレン、中国産ショウガ油、ガージャンバルサム油、ガージャンバルサムシャム、リモネン（４−イソプロペニル−１−メチル−シクロヘキセン）、テルピネン、フェランドレン、ペパーブラック油、中国産松葉油、グレープフルーツ油、ブラジル産タンジェリンクラボ油、イタリア産マンダリン油、ブラジル産オレンジ油、ライム油テルペン、レモン油テルペン、エレミ油、シメンパラ、シトリラール、ピネンアルファ、カレンデルタ−３、カンフェン、ピネンベータ、ジペンテン、ポルトガル産テレビン油、ミルセンと、
−式（Ｉ）のメチルアントラニレート誘導体
【０００９】
【化１】
2019532136.tif 000002
(I)
（式中、Ｒ1＝Ｈ、メチル、ベンジリデン、（２，４−ジメチルシクロヘキサ−３−エン−１−イル）メチレン、３−（４−ｔｅｒｔ−ブチルフェニル）−２−メチル−プロピリデン、２，４−ジメチルシクロヘキサ−３−エン−１−イリデン、［３−（１，３−ベンゾジオキソール−５−イル）−２−メチル−プロピリデン］または（７−ヒドロキシ−３，７−ジメチル−オクチリデン）であり、「Ｎ＝＝Ｒ1」＝「Ｎ＝Ｒ1」または「ＮＨ−Ｒ1」である（すなわち、式中、「＝＝」は単結合または二重結合を意味する））、
【００１０】
好ましくは、メチルアントラニレート、ジメチルアントラニレート、ベルトシン（メチル２−［（Ｅ）−（２，４−ジメチルシクロヘキサ−３−エン−１−イル）メチレンアミノ］ベンゾエート）、ベルダンチオール（メチル２−［（Ｅ）−［３−（４−ｔｅｒｔ−ブチルフェニル）−２−メチル−プロピリデン］アミノ］ベンゾエート）、アウランチオール（メチル２−［（Ｅ）−（７−ヒドロキシ−３，７−ジメチル−オクチリデン）アミノ］ベンゾエート）、アマンドレン（メチルＮ−ベンジリデンアントラニレート）、メアベルテ（メチル２−［（２，４−ジメチルシクロヘキサ−３−エン−１−イリデン）メチルアミノ］ベンゾエート）、ヘリオシン（メチル２−［（Ｅ）−［３−（１，３−ベンゾジオキソール−５−イル）−２−メチル−プロピリデン］アミノ］ベンゾエート）と、
【００１１】
−式（ＩＩ）のフェノール誘導体
【化２】
2019532136.tif 000003
(II)
（式中、Ｒ1＝Ｈ、メトキシ、エトキシ、またはｔｅｒｔ−ブチルであり、Ｒ2／Ｒ4＝Ｈであり、Ｒ3＝メチル、ホルミル、アリル、プロパ−１−エニル、ヒドロキシ、または３−オキソブチルであり、Ｒ5＝Ｈ、またはｔｅｒｔ−ブチルである）、
【００１２】
好ましくは、エチルバニリン、オイゲノール、バニリン、イソオイゲノール、ＢＨＴイオノール、４−（４−ヒドロキシフェニル）ブタン−２−オン（ｆｒａｍｂｉｎｏｎ（登録商標））、丁子葉油とケイ葉油と変色ケイ葉油とからなる群から選択される精油、
【００１３】
（Ｂ）下記からなる群（Ｂ）から選択される１つまたは複数の化合物
−式（ＩＩＩ）：Ｃ10ＨXＯ（ＩＩＩ）（式中、Ｘ＝１４〜１８である）を有し、１５０〜１５４ｇ／ｍｏｌのモル質量を有する、二環式エポキシモノテルペン、単環式および二環式のモノテルペンアルコールおよびモノテルペンケトンからなる群から選択される環式モノテルペン、
好ましくは、フェンコール、イソボルネオール、ボルネオール、ユーカリプトール、１，４−シネオール、ユーカリ油、カンファー、メントン、イソメントン、カルボン、米国原産スペアミント油６５％と、
【００１４】
−式（ＩＶ）のメトキシベンゼン誘導体
【化３】
2019532136.tif 000004
(IV)
（式中、Ｒ1＝メチル、プロパ−１−エニル、アリル、３−オキソブチル、アセトキシメチル、２−メチル−３−オキソ−ブチル、または３−（２−エチルヘキソキシ）−３−オキソ−プロパ−１−エニルである）、
【００１５】
好ましくは、クレシルメチルエーテルパラ、エストラゴール、４−（４−メトキシフェニル）ブタン−２−オン（ｆｒａｍｂｉｎｏｎ（登録商標）メチルエーテル）、アニシルアセテート、カントキサール（３−（４−メトキシフェニル）−２−メチル−プロパナール）、２−エチルヘキシル（Ｅ）−３−（４−メトキシフェニル）プロパ−２−エノエート（ＮＥＯ  Ｈｅｌｉｏｐａｎ（登録商標）ＡＶ）と、
【００１６】
−式（Ｖ）の２−ヒドロキシ安息香酸誘導体
【化４】
2019532136.tif 000005
(V)
（式中、Ｒ1＝メチル、エチル、アミル、イソアミル、ヘキシル、２−エチルヘキシル、シクロヘキシル、ヘキサ−３−エニル、２−フェニルエチル、またはベンジルである）、
【００１７】
好ましくは、サリチル酸メチル、サリチル酸エチル、サリチル酸アミル、サリチル酸イソアミル、サリチル酸ヘキシル、サリチル酸２−エチルヘキシル、サリチル酸３−ヘキセニルと、
【００１８】
−式（ＶＩ）のベンゾエート誘導体
【化５】
2019532136.tif 000006
(VI)
（式中、Ｒ1＝メチル、エチル、ベンジル、またはヘキシルであり、Ｒ2＝Ｈ、ヒドロキシ、またはエトキシカルボニルであり、Ｒ3＝Ｈ、またはメチルであり、Ｒ4＝Ｈ、またはヒドロキシであり、Ｒ5＝Ｈであり、Ｒ6＝Ｈ、またはメチルである）、
【００１９】
好ましくは、安息香酸メチル、エベルニル（メチル２，４−ジヒドロキシ−３，６−ジメチル−ベンゾエート）、安息香酸ベンジル、安息香酸ヘキシル、ジエチルフタレートと、
【００２０】
−式（ＶＩＩ）のオキソメチルベンゼン誘導体
【化６】
2019532136.tif 000007
(VII)
（式中、Ｒ1＝Ｈ、メチル、またはフェニルであり、Ｒ2＝Ｈ、メチル、イソプロピル、またはメトキシである）、
【００２１】
好ましくは、ベンズアルデヒド、トリルアルデヒドパラ、クミンアルデヒド、アセトフェノン、メチルアセトフェノン、ベンゾフェノン、アニスアルデヒドと、
【００２２】
−式（ＶＩＩＩ）の３−オキソプロピルベンゼン誘導体
【化７】
2019532136.tif 000008
(VIII)
（式中、Ｒ1＝Ｈ、またはメチルであり、Ｒ2＝Ｈ、またはメチルであり、Ｒ3＝Ｈ、またはメチルであり、Ｒ4＝Ｈ、またはメチルであり、Ｒ5＝Ｈ、またはメチルであり、Ｒ6＝Ｈ、エチル、またはイソプロピルである）、
【００２３】
好ましくは、フロラゾン（３−（４−エチルフェニル）−２，２−ジメチル−プロパナールと３−（２−エチルフェニル）−２，２−ジメチル−プロパナールの混合物）、フロラロゾン（３−（４−エチルフェニル）−２，２−ジメチル−プロパナールと３−（２−エチルフェニル）−２，２−ジメチル−プロパナールの混合物）、４−メチル−４−フェニル−ペンタン−２−オン（Ｖｅｔｉｋｏｎ（登録商標））およびベンジルアセトン、シクラメンアルデヒド（３−（４−イソプロピルフェニル）−２−メチル−プロパナール）、フロルヒドラール（３−（３−イソプロピルフェニル）ブタナール）と、
【００２４】
−式（ＩＸ）のシクロヘキサ−３−エン−１−カルバルデヒド誘導体
【化８】
2019532136.tif 000009
(IX)
（式中、Ｒ1＝Ｈ、またはメチルであり、Ｒ2＝Ｈであり、Ｒ3＝メチル、４−ヒドロキシ−４−メチル−ペンチル、または４−メチルペンタ−３−エニルであり、Ｒ4＝Ｈであり、Ｒ5＝Ｈであり、Ｒ6＝Ｈ、またはメチルである）、
【００２５】
好ましくは、リグストラール（（１Ｒ，２Ｓ）−２，４−ジメチルシクロヘキサ−３−エン−１−カルバルデヒドと（１Ｓ，２Ｓ）−２，４−ジメチルシクロヘキサ−３−エン−１−カルバルデヒドの混合物）、ベルトシトラール（（１Ｒ，２Ｓ）−２，４−ジメチルシクロヘキサ−３−エン−１−カルバルデヒドと（１Ｓ，２Ｓ）−２，４−ジメチルシクロヘキサ−３−エン−１−カルバルデヒドの混合物）、リラール（４−（４−ヒドロキシ−４−メチル−ペンチル）シクロヘキサ−３−エン−１−カルバルデヒドと３−（４−ヒドロキシ−４−メチル−ペンチル）シクロヘキサ−３−エン−１−カルバルデヒドの混合物）、ベルトムガール（４−（４−メチルペンタ−３−エニル）シクロヘキサ−３−エン−１−カルバルデヒドと３−（４−メチルペンタ−３−エニル）シクロヘキサ−３−エン−１−カルバルデヒドの混合物）、ベルンアルデヒド（３−イソヘキシル−１−メチル−シクロヘキサ−３−エン−１−カルバルデヒドと４−イソヘキシル−１−メチル−シクロヘキサ−３−エン−１−カルバルデヒドの混合物）、プレシクレモンＢ（１−メチル−３−（４−メチルペンタ−３−エニル）シクロヘキサ−３−エン−１−カルバルデヒドと１−メチル−４−（４−メチルペンタ−３−エニル）シクロヘキサ−３−エン−１−カルバルデヒドの混合物）と、
【００２６】
−式（Ｘ）のスチレン誘導体
【化９】
2019532136.tif 000010
(X)
（式中、Ｒ1＝Ｈ、メチル、またはヒドロキシメチルであり、Ｒ2＝Ｈ、ホルミル、メトキシカルボニル、またはベンジルオキシカルボニルである）、
【００２７】
好ましくは、スチレン、メチルケイヒ酸アルデヒド、ケイヒ酸メチル、ケイヒ酸ベンジル、ケイヒ酸アルコールと、
【００２８】
−モル質量が＞２２５ｇ／ｍｏｌおよび水溶解度計算値が＜０．６ｍｇ／Ｌのアセタール、
好ましくは、パリサンダル（１，１−ジメトキシシクロドデカン）、カラナール（２−（２，４−ジメチルシクロヘキサ−３−エン−１−イル）−５−メチル−５−ｓｅｃ−ブチル−１，３−ジオキサン）、エトキシメトキシシクロドデカン（Ａｍｂｅｒｗｏｏｄ（登録商標）Ｆ）、２’，２’，８’，８’−テトラメチルスピロ［１，３−ジオキソラン−２，１０’−オクタヒドロ−１Ｈ−２，４ａ−メタノナフタレン（methanonaphtalene）］（Ｙｓａｍｂｅｒ（登録商標）Ｋ）、（４ａＲ，５Ｒ，７ａＳ，９Ｒ）−オクタヒドロ−２，２，５，８，８，９ａ−ヘキサメチル−４Ｈ−４ａ，９−メタノズレノ［５，６−ｄ］−１，３−ジオキソール（Ａｍｂｒｏｃｅｎｉｄｅ（登録商標））、ケタンバー（ドデカヒドロ−３，８，８，１１ａ−テトラメチル−５Ｈ−３，５ａ−エポキシナフト［２，１−ｃ］オキセピン）（ここで、これらの化合物は、水溶解度の要件＜０．６ｍｇ／Ｌを満たす）と、
【００２９】
−水溶解度計算値が＜２．５ｍｇ／Ｌの環式エーテル、
好ましくは、セドランバー（セドリルメチルエーテル）、パリサンディン（メトキシシクロドデカン）、アンドラン（アルファセドレンエポキシド）、アンブロキシド（（３ａＳ，５ａＲ，９ａＲ）−３ａ，６，６，９ａ−テトラメチル−２，４，５，５ａ，７，８，９，９ｂ−オクタヒドロ−１Ｈ−ベンゾ［ｅ］ベンゾフラン）、アンブロックスＤＬ（（３ａＳ，５ａＲ，９ａＲ）−３ａ，６，６，９ａ−テトラメチル−２，４，５，５ａ，７，８，９，９ｂ−オクタヒドロ−１Ｈ−ベンゾ［ｅ］ベンゾフラン、（３ａＲ，５ａＳ，９ａＳ，９ｂＳ）−３ａ，６，６，９ａ−テトラメチル−２，４，５，５ａ，７，８，９，９ｂ−オクタヒドロ−１Ｈ−ベンゾ［ｅ］ベンゾフラン、（３ａＳ，５ａＲ，９ａＳ，９ｂＲ）−３ａ，６，６，９ａ−テトラメチル−２，４，５，５ａ，７，８，９，９ｂ−オクタヒドロ−１Ｈ−ベンゾ［ｅ］ベンゾフラン、（３ａＳ，５ａＲ，９ａＳ）−３ａ，６，６，９ａ−テトラメチル−２，４，５，５ａ，７，８，９，９ｂ−オクタヒドロ−１Ｈ−ベンゾ［ｅ］ベンゾフラン、（３ａＳ，５ａＳ，９ａＳ，９ｂＲ）−３ａ，６，６，９ａ−テトラメチル−２，４，５，５ａ，７，８，９，９ｂ−オクタヒドロ−１Ｈ−ベンゾ［ｅ］ベンゾフランおよび（３ａＲ，５ａＲ，９ａＳ，９ｂＲ）−３ａ，６，６，９ａ−テトラメチル−２，４，５，５ａ，７，８，９，９ｂ−オクタヒドロ−１Ｈ−ベンゾ［ｅ］ベンゾフランの混合物）、ガラキソリド（４，６，６，７，８，８−ヘキサメチル−１，３，４，７−テトラヒドロシクロペンタ［ｇ］イソクロメン）（ここで、これらの化合物は、水溶解度の要件＜２．５ｍｇ／Ｌを満たす）、
【００３０】
（Ｃ）下記からなる群から選択される１つまたは複数の化合物
−好ましくは、メチルイオノンアルファ、メチルイオノンベータ、メチルイオノンガンマ、メチルイオノンベータ、ジヒドロイオノンベータ、イオノンベータ、イソラルデイン（isoradeine）、アリルイオノン、ダマセノンアルファ、ダマセノンベータ、ダマセノンガンマ、ダマセノンデルタ、ダマスコンアルファ、ダマスコンベータ、ダマスコンガンマ、ダマスコンデルタからなる群から選択される環式ジテルペンケトン、
好ましくは、イソ酪酸シトロネリル、酪酸ゲラニル、酢酸ボルニル、酢酸シトロネリル、酢酸イソボルニル、ギ酸シトロネリル（citronellyl formiate）、酢酸リナリル、酢酸ネリル、酢酸ゲラニル、ギ酸ゲラニル（geranyl formiate）、酢酸イソアミル、エチルリナリルアセテート、ジヒドロミルセニルアセテート、チグリン酸ゲラニル、イソ吉草酸イソアミル、テトラヒドロリナリルアセテート、チグリン酸シトロネリルからなる群から選択される非環式モノテルペンエステル、
【００３１】
好ましくは、プロピオン酸イソボルニル、酢酸テルピニル、酢酸フェンチル、酢酸メンチル、酢酸メンタニルからなる群から選択される環式モノテルペンエステル、
好ましくは、セドロール、酢酸カリオフィレンおよび酢酸セドリルからなる群から選択されるセスキテルペンエステルおよびアルコール、
好ましくは、２，６，１０−トリメチルウンデカ−９−エナール（ｆａｒｅｎａｌ（登録商標））、（５Ｅ）−２，６，１０−トリメチルウンデカ−５，９−ジエナール（ｐｒｏｆａｒｅｎａｌ（登録商標））、ヒドロキシルシトロネラール、シトロネラール、シトラール、ユーカリ油シトリオドラ、レモングラス油コーチンからなる群から選択される非環式モノテルペンアルデヒド、および
【００３２】
好ましくは、ジヒドロミルセノール、リナロール、テルピネオール、シトロネロール、ゲラニオール、ネロール、ネロリドール、ファルネソール、ヒドロキシルシトロネロール、イソアミルアルコール、オシロール（７−メトキシ−３，７−ジメチル−オクタン−２−オール）、テトラヒドロゲラニオール、テトラヒドロリナロール、テトラヒドロムゴール（テトラヒドロミルセノールとテトラヒドロリナロールの混合物）、テトラヒドロミルセノール、エチルリナロール、イソボルニルシクロヘキサノール、１−［（１Ｓ，６Ｓ）−２，２，６−トリメチルシクロヘキシル］ペンタン−３−オール（ｍａｄｒａｎｏｌ（登録商標））、１−（２，２，６−トリメチルシクロヘキシル）ヘキサン−３−オール（ｔｉｍｂｅｒｏｌ（登録商標））、チモール、マイオール（（４−イソプロピルシクロヘキシル）メタノール）、ジヒドロテルピネオール、メントール、ラセミ体メントール、パイン油、コリアンダー油、パルマローザ油からなる群から選択される非環式モノテルペンアルコール
からなる群から選択されるテルペン誘導体と、
【００３３】
−好ましくは、２−イソブチル−４−ビニル−１，３−ジオキソラン、６，６−ジメトキシ−２，５，５−トリメチル−ヘキサ−２−エン（Ａｍａｒｏｃｉｔ（登録商標））、ヒヤシンスボディ、フロロパール、マグノラン、（２Ｒ，４Ｓ）−２−メチル−４−フェニル−１，３−ジオキソラン（Ｊａｃｉｎｔｈａｆｌｏｒ（登録商標））、フェニルアセトアルデヒドジメチルアセタール、４，４ａ，５，９ｂ−テトラヒドロインデノ［１，２−ｄ］［１，３］ジオキシン（Ｉｎｄｏｆｌｏｒ（登録商標））、シトラールジエチルアセタール、ヒドロキシルシトロネラールジメタセタール、フェニルアセトアルデヒドグリセリルアセタ−ル（phenylacetaldehyde glyceryl acet）（（２−ベンジル−１，３−ジオキソラン−４−イル）メタノール）、ヘリオトロピン（１，３−ベンゾジオキソール−５−カルバルデヒド）、ヘリオナール（３−（１，３−ベンゾジオキソール−５−イル）−２−メチル−プロパナール）からなる群から選択される、モル質量が＜２２５ｇ／ｍｏｌおよび水溶解度計算値が＞０．６ｍｇ／Ｌのアセタール、特に好ましくは２−イソブチル−４−ビニル−１，３−ジオキソラン（ここで、これらの化合物は、水溶解度の要件＞０．６ｍｇ／Ｌを満たす）と、
【００３４】
−好ましくは、酢酸、安息香酸、酪酸、ペラルゴン酸、フェニル酢酸からなる群から選択される酸と、
【００３５】
−好ましくは、フェニルエチルアルコール、アンブリノール（（２Ｓ，４ａＳ）−２，５，５−トリメチル−１，３，４，４ａ，６，７−ヘキサヒドロナフタレン−２−オール）、アンバーコア（１−［（１Ｒ，２Ｒ）−２−ｔｅｒｔ−ブチルシクロヘキソキシ］ブタン−２−オール、１−［（１Ｓ，２Ｒ）−２−ｔｅｒｔ−ブチルシクロヘキソキシ］ブタン−２−オールおよび２−（２−ｔｅｒｔ−ブチルシクロヘキソキシ）ブタン−１−オールの混合物）、２−メチル−４−（２，２，３−トリメチルシクロペンタ−３−エン−１−イル）ブタン−１−オール（Ｂｒａｈｍａｎｏｌ（登録商標））、コヒノール（kohinool）、ミュゲタノール（ｃｉｓ−１−（４−イソプロピルシクロヘキシル）エタノールとｔｒａｎｓ−１−（４−イソプロピルシクロヘキシル）エタノールの混合物）、ポリサントール（（Ｅ）−３，３−ジメチル−５−（２，２，３−トリメチルシクロペンタ−３−エン−１−イル）ペンタ−４−エン−２−オール）、ウンデカベルトール、アルコールＣ１２、ジャスモール、サンダロ−ル（３−メチル−５−（２，２，３−トリメチルシクロペンタ−３−エン−１−イル）ペンタン−２−オールと６−（２，２，３−トリメチルシクロペンタ−３−エン−１−イル）ヘキサン−３−オールの混合物）、アニシルアルコール、ヘキサノール、オクタノール、デカノール、ベンジルアルコール、ブチルシクロヘキサノールパラ−ｔｅｒｔ、デセノール−９、ジメチルベンジルカルビノール、エバノール（（Ｅ，２Ｓ，３Ｒ）−３−メチル−５−（２，２，３−トリメチルシクロペンタ−３−エン−１−イル）ペンタ−４−エン−２−オールと（Ｅ，２Ｒ，３Ｒ）−３−メチル−５−（２，２，３−トリメチルシクロペンタ−３−エン−１−イル）ペンタ−４−エン−２−オールの混合物）、フロローサ、フリーシオール（コール１１９、２，６−ジメチルヘプタン−２−オール）、フラネオール、ｃｉｓ−３−ヘキセノール、イソノナノール、２，２−ジメチル−３−（ｍ−トリル）プロパン−１−オール（Ｍａｊａｎｔｏｌ（登録商標））、３−メチル−３−メトキシブタノール、ミュゲアルコール（２，２−ジメチル−３−フェニル−プロパン−１−オール）、フェノキサノール（３−メチル−５−フェニル−ペンタン−１−オール）、フェノキシエチルアルコール、フェニルジメチルカルビノール、フェニルエチルメチルエチルカルビノール、フェニルプロピルアルコール、（２−メチル−５−フェニル−ペンタン−１−オール）（Ｒｏｓａｐｈｅｎ（登録商標））、サンダルマイソールコア（（Ｅ）−２−メチル−４−（２，２，３−トリメチルシクロペンタ−３−エン−１−イル）ブタ−２−エン−１−オール）、（Ｅ）−２−エチル−４−（２，２，３−トリメチルシクロペンタ−３−エン−１−イル）ブタ−２−エン−１−オール（Ｓａｎ−ｄｒａｎｏｌ（登録商標））、スチラリルアルコール、４−イソペンチルシクロヘキサノール（Ｓｙｍｒｏｓｅ（登録商標））、ジヒドロオイゲノール、プロペニルグエトール、クレゾールパラ、アンブリノールエポキシド（（１ａＲ，４ａＳ，７Ｓ，８ａＳ）−４，４，７−トリメチル−２，３，４ａ，５，６，８−ヘキサヒドロ−１ａＨ−ナフト［１，８���−ｂ］オキシレン−７−オール）からなる群から選択されるアルコールと、
【００３６】
−好ましくは、アルデヒドＣ１２  ＭＮＡ、ネオシクロシトラール、アルデヒドＣ１１  ＭＯＡ、ヘキシルケイヒアルデヒドアルファ、シクロミラール、アミルケイヒアルデヒド、デカナール、２，６−ジメチルヘプタ−５−エナール（Ｍｅｌｏｎａｌ（登録商標））、ノナナール、イソノニルアルデヒドＳ、オクタナール、アルデヒドＣ１１  ｉｓｏ、イントレレベンアルデヒド（ウンデカ−１０−エナール、９−ウンデセナールおよび８−ウンデセナールの混合物）、リリアール（３−（４−ｔｅｒｔ−ブチルフェニル）−２−メチル−プロパナール）、ヘキサナール、ヘプタナール、シルビアール（３−（４−イソブチルフェニル）−２−メチル−プロパナール）、２−ｔｒａｎｓ−ヘキセナール、ブルゲオナール（３−（４−ｔｅｒｔ−ブチルフェニル）プロパナール）、センテナール（オクタヒドロ−５−メトキシ−４，７−メタノ−１Ｈ−インデン−２−カルボキサルデヒド）、フェニルアセトアルデヒド、マンダリンアルデヒド（２Ｅ−ドデセナール）からなる群から選択されるアルデヒドと、
【００３７】
−好ましくは、ピロプルナト（（２−シクロペンチルシクロペンチル）（Ｅ）−ブタ−２−エノエート）、ヘルコリンＤ−Ｅ（メチル７−イソプロピル−１，４ａ−ジメチル−２，３，４，５，６，７，８，９，１０，１０ａ−デカヒドロフェナントレン−１−カルボキシレートとメチル７−イソプロピル−１，４ａ−ジメチル−２，３，４，９，１０，１０ａ−ヘキサヒドロフェナントレン−１−カルボキシレートの混合物）、フルテート、シクラビュート（３ａ，４，５，６，７，７ａ−ヘキサヒドロ−４，７−メタノ−１Ｈ−インデン−５−イル２−メチルプロパノエート）、ポアブロール（メチル（１Ｓ，４Ｒ，５Ｒ）−４−イソプロピル−１−メチル−ビシクロ［２．２．２］オクタ−２−エン−５−カルボキシレート、メチル（１Ｓ，４Ｒ，５Ｓ）−４−イソプロピル−１−メチル−ビシクロ［２．２．２］オクタ−２−エン−５−カルボキシレート、メチル（１Ｒ，２Ｓ，４Ｒ）−４−イソプロピル−１−メチル−ビシクロ［２．２．２］オクタ−５−エン−２−カルボキシレートおよびメチル（１Ｒ，２Ｒ，４Ｒ）−４−イソプロピル−１−メチル−ビシクロ［２．２．２］オクタ−５−エン−２−カルボキシレートの混合物）、グアイオールアセテート、ハービルプロピオネート（ヘキサヒドロ−４，７−メタノインデン−５（または６）−イルプロピオネート）、ベチベリルアセテート、ノピルアセテート、ヒドロハーバフロレイト、ハーバフロレイト（ヘキサヒドロ−４，７−メタノインデン−（５および６）−イルアセテート）、ケイヒ酸エチル、ケイヒ酸フェニルエチル、イソオイゲニルメチルエーテル、酢酸イソオイゲニル、酢酸オイゲニル、安息香酸エチル、サリチル酸イソブチル、サリチル酸プレニル、ジメチルベンジルカルボニルブチレート、イソ吉草酸フェニルエチル、酪酸ベンジル、イソ酪酸ベンジル、ジメチルベンジルカルボニルアセテート、イソ酪酸フェニルエチル、プロピオン酸ベンジル、酢酸フェニルエチル、（１，３−ジメチル−３−フェニル−ブチル）アセテート（Ｖｅｔｉｋｏｌａｃｅａｔｅ（登録商標））、酢酸ベンジル、エチルフェニルアセテート、メチルフェニルアセテート、酢酸スチラリル、フェニルエチルフェニルアセテート、ギ酸ベンジル（benzyl formiate）、２−フェノキシエチル２−メチルプロパノエート（Ｐｈｅｎｉｒａｔｅ（登録商標））、フェニル酢酸ベンジル、いわゆるアルデヒドＣ１６、フェノキシ酢酸アリル、フェニル酢酸クレシルパラ、ロサセテート、ミリスチン酸イソプロピル、カプロン酸ヘキシル、カプリン酸エチル、酢酸デシル、カプリル酸エチル、酪酸ヘキシル、イソ酪酸ヘキシル、ヘプタン酸エチル、酪酸イソアミル、酪酸ブチル、ヘプタン酸アリル、カプロン酸エチル、マンザネート、酢酸ネオノニル、２−メチル酪酸エチル、フルチナト、イソペンチレート、カプロン酸アリル、酪酸エチル、イソ吉草酸エチル、酢酸アミル、酢酸ヘキシル、イソ酪酸エチル、酢酸ブチル、酢酸イソブチル、プロピオン酸エチル、酢酸ｃｉｓ−３−ヘキセニル、［（Ｚ）−ヘキサ−３−エニル］メチルカーボネート（Ｌｅａｆｏｖｅｒｔ（登録商標））、酢酸プレニル、メチルオクチンカーボネート、アリルアミルグリコレート、酢酸エチル、ブチリル乳酸ブチル、マロン酸ジエチル、アセト酢酸エチル、（３−ヒドロキシ−２，２，４−トリメチル−ペンチル）２−メチルプロパノエート（Ｓｙｍｆｒｅｓｈ（登録商標）ＮＸ）、アリルシクロヘキシルプロピオネート、ジベスコン（エチル２，３，６，６−テトラメチルシクロヘキサ−２−エン−１−カルボキシレートとエチル２−エチル−６，６−ジメチル−シクロヘキサ−２−エン−１−カルボキシレートの混合物）、ミントナット（［（１Ｓ，５Ｓ）−３，３，５−トリメチルシクロヘキシル］アセテートと［（１Ｒ，５Ｓ）−３，３，５−トリメチルシクロヘキシル］アセテートの混合物）、オリクロン（（４−ｔｅｒｔ−ブチルシクロヘキシル）アセテート）、アグルメックスＨＣ（［（１Ｓ，２Ｓ）−２−ｔｅｒｔ−ブチルシクロヘキシル］アセテート）、アフェルマート（１−（３，３−ジメチルシクロヘキシル）エチルホルメート）、酢酸シクロヘキシルエチル、ダチラト（datilat）（１−シクロヘキシルエチル（Ｅ）−ブタ−２−エノエート）、ヘルベトリド（２−［１−（３，３−ジメチルシクロヘキシル）エトキシ］−２−メチル−プロピル］プロパノエート）、酢酸ミラルディル（［３−（４−メチルペンタ−３−エニル）シクロヘキサ−３−エン−１−イル］メチルアセテートと［４−（４−メチルペンタ−３−エニル）シクロヘキサ−３−エン−１−イル］メチルアセテートの混合物）、酢酸シクロヘキシル、アリル２−（シクロヘキソキシ）アセテート（Ｃｙｃｌｏｇａｌｂａｎａｔｅ（登録商標））、ジャスモピラン（（３−ペンチルテトラヒドロピラン−４−イル）アセテート）、ジェセマール（（３−ブチルテトラヒドロ−５−メチル−２Ｈ−ピラン−４−イル）アセテート、ブラシル酸エチレン（１，４−ジオキサシクロヘプタデカン−５，１７−ジオン）、エチレンドデカンジオエートａｒｏｖａ  Ｎ、エチル２−（２，４−ジメチル−１，３−ジオキソラン−２−イル）アセテート（Ｆｒａｇｏｌａｎｅ（登録商標））、ヘディオン（メチル２−［（１Ｓ，２Ｓ）−３−オキソ−２−ペンチル−シクロペンチル］アセテートとメチル２−［（１Ｓ，２Ｒ）−３−オキソ−２−ペンチル−シクロペンチル］アセテートの混合物）、ジャスマプルナト（エチル２−（２−メチル−１，３−ジオキソラン−２−イル）アセテート）、ジャスモポルＡＣ１３００（メチル２−ヘキシル−３−オキソ−シクロペンタンカルボキシレート）、マルトールイソブチレート、クエン酸トリエチルからなる群から選択されるエステルと、
【００３８】
−好ましくは、アンサー、ローズオキシドＨＣ（（２Ｒ，４Ｓ）−４−メチル−２−（２−メチルプロパ−１−エニル）テトラヒドロピランと（２Ｓ，４Ｓ）−４−メチル−２−（２−メチルプロパ−１−エニル）テトラヒドロピランの混合物）、ローズオキシドＬ（（２Ｒ，４Ｓ）−４−メチル−２−（２−メチルプロパ−１−エニル）テトラヒドロピランと（２Ｓ，４Ｓ）−４−メチル−２−（２−メチルプロパ−１−エニル）テトラヒドロピランの混合物）、不活性ローズオキシド（（２Ｒ，４Ｓ）−４−メチル−２−（２−メチルプロパ−１−エニル）テトラヒドロピランと（２Ｓ，４Ｓ）−４−メチル−２−（２−メチルプロパ−１−エニル）テトラヒドロピランの混合物）、ジフェニルオキシド、フェニルエチルメチルエーテル、ジベンジルエーテル、ケファリス（４−（１−エトキシビニル）−３，３，５，５−テトラメチル−シクロヘキサノン）、リナロールオキシド、ドワノールＤＰＭ（３−（３−メトキシプロポキシ）プロパン−１−オール）（ここで、これらの化合物は、水溶解度の要件＞２．５ｍｇ／Ｌを満たす）からなる群から選択される、水溶解度計算値が＞２．５ｍｇ／Ｌのエーテルおよび環式エーテルと、
【００３９】
−好ましくは、オキサンチア（（２Ｓ，４Ｒ）−２−メチル−４−プロピル−１，３−オキサチアンと（２Ｒ，４Ｒ）−２−メチル−４−プロピル−１，３−オキサチアンの混合物）、イソブチルキノロン、イソブチルキノロンＤＬ、スルフロール（２−（４−ジメチルチアゾル−５−イル）エタノール）、インドールからなる群から選択されるヘテロ環化合物と、
【００４０】
−好ましくは、シクロヘキサデカノン（Ｉｓｏｍｕｓｃｏｎｅ（登録商標））、ベルトフィックス、ベルートン、ムセノン、４−［（３，３−ジメチルノルボルナン−２−イル）メチル］−２−メチル−シクロヘキサノン（Ａｌｄｒｏｎ（登録商標））、イソロンギホラノン（オクタヒドロテトラメチルメタノアズレノン）、（８Ｅ）−シクロヘキサデカ−８−エン−１−オン（Ｇｌｏｂａｎｏｎｅ（登録商標））、２，４，４，７−テトラメチルオクタ−６−エン−３−オン（Ｃｌａｒｉｔｏｎｅ（登録商標））、イソＥスーパー（１−［（２Ｒ，３Ｒ）−２，３，８，８−テトラメチル−１，３，４，５，６，７−ヘキサヒドロナフタレン−２−イル］エタノン、１−（２，３，８，８−テトラメチル−１，３，５，６，７，８ａ−ヘキサヒドロナフタレン−２−イル）エタノンおよび１−［（２Ｓ，３Ｓ）−２，３，８，８−テトラメチル−１，３，５，６，７，８ａ−ヘキサヒドロナフタレン−２−イル］エタノンの混合物）、（８Ｅ）−シクロヘキサデカ−８−エン−１−オン（Ａｕｒｅｌｉｏｎｅ（登録商標））、プロジャスモンＰ（２−ヘプチルシクロペンタノン）、フレスコメンテ（２−ｓｅｃ−ブチルシクロヘキサノン）、ダイナスコン（１−（５，５−ジメチルシクロヘキセン−１−イル）ペンタ−４−エン−１−オン、１−（３，３−ジメチルシクロヘキセン−１−イル）ペンタ−４−エン−１−オンおよび（Ｅ）−１−（２，６，６−トリメチルシクロヘキサ−２−エン−１−イル）ブタ−２−エン−１−オンの混合物）、ガルバスコン（１−（５，５−ジメチルシクロヘキセン−１−イル）ペンタ−４−エン−１−オン）、ウンデカノン−２、コアボン（（Ｅ）−３，４，５，６，６−ペンタメチルヘプタ−４−エン−２−オン、３，５，６，６−テトラメチル−４−メチレン−ヘプタン−２−オンおよび（Ｅ）−３，４，５，６，６−ペンタメチルヘプタ−３−エン−２−オンの混合物）、トナリド（１−（１，１，２，４，４，７−ヘキサメチルテトラリン−６−イル）エタノン）、ネロリオン（１−（３−メチルベンゾフラン−２−イル）エタノン）、２−オクタノン、カシュメラン（１，１，２，３，３−ペンタメチル−２，５，６，７−テトラヒドロインデン−４−オン）、オリボン（４−（１，１−ジメチルプロピル）シクロヘキサノン）、アザルブル（３，５−ジエチル−２，５−ジメチル−シクロヘキサ−２−エン−１−オンと３，５−ジエチル−５，６−ジメチル−シクロヘキサ−２−エン−１−オンの混合物）、メチルヘプテノン−６，５，２、ジヒドロジャスミン（３−メチル−２−ペンチル−シクロペンタ−２−エン−１−オン）、ｃｉｓ−ジャスミン（３−メチル−２−［（Ｚ）−ペンタ−２−エニル］シクロペンタ−２−エン−１−オン）、アセトアニソール、カロン１９５１（７−メチル−１，５−ベンゾジオキセピン−３−オン）、アセチルメチルカルビノール、クリソリド（１−（６−ｔｅｒｔ−ブチル−１，１−ジメチル−インダン−４−イル）エタノン）、エチルマルトール、マルトール、メチルシクロペンテノロン−３，２，２からなる群から選択されるケトンと、
【００４１】
−好ましくは、オキサシクロヘキサデカン−２−オン（Ｍａｃｒｏｌｉｄｅ（登録商標）ｓｕｐｒａ）、（１２Ｅ）−１−オキサシクロヘキサデカ−１２−エン−２−オンと（１２Ｚ）−１−オキサシクロヘキサデカ−１２−エン−２−オンと（１３Ｅ）−１−オキサシクロヘキサデカ−１３−エン−２−オン（Ｇｌｏｂａｌｉｄｅ（登録商標））との混合物、アンブレットリド（（１０Ｅ）−１−オキサシクロヘプタデカ−１０−エン−２−オン）、いわゆるアルデヒドＣ１４、いわゆるアルデヒドＣ１８、デカラクトン、ドデカラクトン（docecalactone）、クマリン、ヘプタラクトン、オクタヒドロクマリン、オクタラクトン、メチルレイトン（８−メチル−４−オキサスピロ［４．５］デカン−３−オン）からなる群から選択されるラクトンと、
【００４２】
−好ましくは、オゾニル、クロナ−ル、２−（２，２，３−トリメチルシクロペンタ−３−エン−１−イル）アセトニトリル（Ｃａｎｔｒｙｌ（登録商標））、レモニール（（２Ｅ，６Ｅ）−３，７−ジメチルノナ−２，６−ジエンニトリル）、アグルニトリル（３，７−ジメチルオクト−６−エンニトリル）、ペオニル（２−シクロヘキシリデン−２−フェニル−アセトニトリル）、シンナミルニトリル、シトロニトリル（（Ｅ）−３−メチル−５−フェニル−ペンタ−２−エンニトリル）からなる群から選択されるニトリル、
【００４３】
（Ｄ）水
および／または
エタノール、ジプロピレングリコール（ＤＰＧ）、ジエチルフタレート（ＤＥＰ）、プロピレングリコール（ＰＧ）、ミリスチン酸イソプロピル（ＩＰＭ）、イソプロピルパルミテート（ＩＰＰ）、トリエチルシトレート（ＴＥＣ）、２−プロパノール、トリアセチン（ＴＲＩ）、１，２−プロパンジオール、１，３−プロパンジオール、プロパントリオール、１，２−ペンタンジオール（Ｈｙｄｒｏｌｉｔｅ（登録商標）−５）、１，２−ヘキサンジオール（Ｈｙｄｒｏｌｉｔｅ（登録商標）−６）、１，２−オクタンジオール（Ｈｙｄｒｏｌｉｔｅ（登録商標）−８）、１，２−デカンジオール（ＳｙｍＣｌａｒｉｏｌ（登録商標））、ドデカノール、４−ヒドロキシ−アセトフェノン（ＳｙｍＳａｖｅ（登録商標）Ｈ）、グリセリン、ブチレングリコール、ペンチレングリコール、ヘキシレングリコール、デシレングリコール、プロピレンカーボネート、ブチレンカーボネート、グリセリンカーボネート、２−ベンジルヘプタノール、ラウリルアルコール、トリメチルヒドロキシペンチルイソブチレート、グリセリルカプリレート、エチルヘキシルグリセリン、安息香酸ベンジル（ＢＢ）、イソパラフィン、グリコールエーテル、ドワノールからなる群から選択され、
【００４４】
好ましくは、エタノール、ＤＰＧ、ＰＧ、ＩＰＭ、ＴＥＣ、１，２−プロパンジオール、１，３−プロパンジオール、プロパントリオール、１，２−ペンタンジオール（Ｈｙｄｒｏｌｉｔｅ（登録商標）−５）、１，２−ヘキサンジオール（Ｈｙｄｒｏｌｉｔｅ（登録商標）−６）、１，２−オクタンジオール（Ｈｙｄｒｏｌｉｔｅ（登録商標）−８）、１，２−デカンジオール（ＳｙｍＣｌａｒｉｏｌ（登録商標））、ドデカノール、４−ヒドロキシ−アセトフェノン（ＳｙｍＳａｖｅ（登録商標）Ｈ）、グリセリン、アイソパー−Ｌからなる群から選択され、
より好ましくは、エタノール、ＤＰＧ、ＩＰＭ、１，２−プロパンジオール、１，３−プロパンジオールからなる群から選択される、１つまたは複数の溶媒、
【００４５】
（Ｅ）アルキルカルボキシレート、アルキルスルホネート、アルキルスルフェート、アルコールポリグリコールエーテルスルフェート、第四級アンモニウムカチオン、第四級アンモニウムエステル、アルコールポリグリコールエーテル、Ｎ−（アシルアミノアルキル）−ベタイン、ポリエチレングリコールアルキルエーテル、アルキルベンゼンスルホネート、ＴＥＡエステル四級塩からなる群から選択され、
より好ましくは、ラウリルエーテルスルフェート、ベタイン、ラウリルアルキルスルフェート、ＰＥＧ水添ヒマシ油、ラウレス−５、ラウレス−６、ラウレス−７、ジアルキルエステルアンモニウムエトスルフェート、ステアリン酸ナトリウム、パルミチン酸ナトリウム、ポリエチレングリコール、ステアリン酸亜鉛、カプリル酸ナトリウム、ラウリン酸、アイソパー−Ｌ、ドデシルベンゼンスルホン酸ナトリウム、二水素化牛脂エチルヒドロキシエチルモニウムメトスルフェートからなる群から選択される、１つまたは複数の表面活性化合物。
【００４６】
本発明の基礎にある特有の研究に関連して、驚くべきことに、組成物（ｉｉ）に含まれている化合物が、以上に定義したように分類され、群（Ａ）および群（Ｂ）が存在する場合それらの化合物と群（Ｃ）の化合物の全量が、以上に定義した組成物中の量に限定される場合、特に安定な製品を得ることができ、以上に定義した組成物（ｉｉ）は、以上に定義した容器（ｉ）のプラスチックと著しい程度には相互作用しないことが明らかになった。言い換えれば、上記の有害な影響の１つまたは複数を回避するまたは少なくとも低減することができる。
【００４７】
さらに、容器のプラスチックとの相互作用が少なく、特に変形が少ないため、容器の壁厚を低減し、パッケージング材の量を低減することが可能である。
化合物の水溶解度は、好ましくはＨｏｗａｒｄ＋Ｍｅｙｌａｎのプログラム「ＥｐｉＷｉｎ」による分子構造にから計算される。この計算値は、室温における化合物の水溶解度をｍｇ／Ｌの単位で示す。値が高いほど、化合物が水に溶解する量が増える。
【００４８】
本発明の文脈において、ＰＥおよび／またはＰＰおよび／またはＰＥＴを含みまたはそれらからなり、好ましくはＰＥおよび／またはＰＰおよび／またはＰＥＴから作製される容器（ｉ）は、例えば、ＰＥ、ＰＰおよびＰＥＴからなる群から選択される単一のタイプのプラスチックを含むまたはそれらからなる容器、あるいはＰＥ、ＰＰおよびＰＥＴからなる群から選択される異なる２つまたは３つのタイプのプラスチックの層またはブレンドを含むまたはそれらからなる容器を意味する。
さらに、本発明の文脈において用語「ポリエチレン（ＰＥ）」は、超高分子量ポリエチレン（ＵＨＭＷＰＥ）、超低分子量ポリエチレン（ＵＬＭＷＰＥまたはＰＥ−ＷＡＸ）、高分子量ポリエチレン（ＨＭＷＰＥ）、高密度ポリエチレン（ＨＤＰＥまたはＰＥＡＤ）、高密度架橋ポリエチレン（ＨＤＸＬＰＥ）、架橋ポリエチレン（ＰＥＸまたはＸＬＰＥ）、中密度ポリエチレン（ＭＤＰＥ）、直鎖低密度ポリエチレン（ＬＬＤＰＥ）、低密度ポリエチレン（ＬＤＰＥ）、超低密度ポリエチレン（ＶＬＤＰＥ）、塩素化ポリエチレン（ＣＰＥ）など、異なる密度および枝分かれによって分類される異なる形のＰＥのすべて、好ましくはＨＤＰＥまたはＬＤＰＥを包含する。
本発明の文脈において用語「ポリプロピレン（ＰＰ）」は、イソタクチックＰＰ、シンジオタクチックＰＰ、アタクチックＰＰ、高結晶質ＰＰ（ＨｃＰＰ）、ＰＰのランダムコポリマー（ＲＡＣＯ）、ＰＰのブロックコポリマー（ＨＥＣＯ）、単軸または二軸配向ＰＰ（ＢＯＰＰ）など、利用可能な異なるタイプのＰＰのすべても包含する。
本発明の文脈において用語「ポリエチレンテレフタラート（ＰＥＴ）」は、ポリエチレンテレフタレートやポリエチレンテレフタレートグリコールなどの異なるタイプのＰＥＴを包含する。
【００４９】
本発明の文脈において、以上に定義した製品は、
（ｉ）以上に定義した容器と、
（ｉｉ）容器に収容されており、
（Ａ）以上に定義した群（Ａ）から選択される１つまたは複数の化合物、
および／または
（Ｂ）以上に定義した群（Ｂ）から選択される１つまたは複数の化合物と、
（Ｃ）以上に定義した群（Ｃ）から選択される１つまたは複数の化合物と、
（Ｄ）水および／または以上に定義した１つもしくは複数の溶媒と
を含みまたはそれらからなり、
（Ｅ）以上に定義した１つまたは複数の表面活性化合物
を含んでもよいまたはそれらからなってもよい組成物と
を含みまたはそれらからなり、
群（Ａ）が存在する場合その化合物の全量は、０．５質量％以下であり、群（Ｂ）が存在する場合その化合物の全量は、１０質量％未満であり、群（Ｃ）の化合物の全量は、２０質量％以下、好ましくは１０質量％以下であり、いずれの場合も組成物の全量に対する質量％である。
すなわち、本発明によれば、以上に定義した群（Ａ）の化合物および以上に定義した群（Ｂ）の化合物は、両方とも組成物（ｉｉ）中に同時に存在することができ、あるいは以上に定義した群（Ａ）の化合物または群（Ｂ）の化合物の一方のみが、組成物（ｉｉ）中に存在していてもよいが、以上に定義した群（Ｃ）および（Ｄ）の化合物は、両方とも組成物（ｉｉ）中に存在していなければならず、以上に定義した群（Ｅ）の化合物は存在していてもよい。
【００５０】
さらに、本明細書の範囲内で、好ましくは以上に定義した群（Ｅ）の化合物が組成物（ｉｉ）中に存在している場合に、以上に定義した群（Ｃ）の化合物が組成物（ｉｉ）になくてもよい（すなわち、組成物（ｉｉ）に、以上に定義した群（Ｃ）の化合物が１つまたは複数含まれることはない）実施形態が開示される。
以上に定義した組成物（ｉｉ）は、好ましくは香料付きおよび／もしくはフレーバー付き製品を生成するのに使用され、または好ましくは香料付きおよび／もしくはフレーバー付き製品である。組成物（ｉｉ）は、液体もしくは固体の形態とすることができ、例えば噴霧乾燥またはカプセルに入れることができる。以上に定義した物質組成物（ｉｉ）は、一実施形態によれば、それによって濃縮された形または希釈溶液で香料付きおよび／またはフレーバー付き製品の製造のために使用することができる。
【００５１】
本明細書に開示される本発明による好ましい製品、またはそれぞれ以上で説明した好ましい組成物（ｉｉ）は、液体洗剤、粉末洗剤、ファブリック柔軟剤、シャンプー、シャワー用ゲル、液体石けん、食器洗い用洗剤、コンディショナー、洗浄剤、ボディローション、クリーム、含水エアフレッシュナー、インウォッシュファブリック香料またはセントブースター、ファブリック（リ）フレッシャースプレー、衛生またはケア製品、特にボディおよび毛髪ケア、化粧品および家庭用品の範囲からなる群から選択される香料付き品目、および食糧、半高級食品、飲料、口腔ケア製品（例えば、口腔衛生製品）または医薬品からなる群から選択されるフレーバー付き品目である。
以上に定義した組成物（ｉｉ）は、別の基材ならびに別の佐剤および添加剤も含んでよい（すなわち、群（Ａ）〜（Ｅ）の化合物にさらに加える）。組成物（ｉｉ）の処方に使用するための基材は、製品の性質に依存し、当業者に公知である。別の佐剤および添加剤は、例えば下記のものである。
【００５２】
保存剤、好ましくは米国特許出願公開第２００６／００８９４１３号に記載されているもの、表皮剥脱剤、抗アクネ剤および皮脂低減剤、好ましくは国際公開第２００８／０４６７９１号に記載されているもの、皮膚の老化に対する化合物、好ましくは国際公開第２００５／１２３１０１号に記載されているもの、抗細菌剤、抗蜂巣炎剤、抗フケ剤、好ましくは国際公開第２００８／０４６７９５号に記載されているもの、抗炎症剤、刺激防止剤、抗刺激剤（抗炎症剤、刺激防止剤および刺激抑制剤）、好ましくは国際公開第２００７／０４２４７２号および米国特許出願公開第２００６／００８９４１３号に記載されているもの、抗微生物剤、好ましくは国際公開第２００／２３１０１号に記載されているもの、抗酸化剤、好ましくは国際公開第２００５／１２３１０１号に記載されているもの、収斂剤、防腐剤、帯電防止剤、結合剤、緩衝剤、支持材、好ましくは国際公開第２００５／１２３１０１号に記載されているもの、キレート剤、好ましくは国際公開第２００５／１２３１０１号に記載されているもの、細胞刺激剤、清浄剤、コンディショニング剤、脱毛剤、防臭剤および制汗剤、好ましくは国際公開第２００５／１２３１０１号に記載されているもの、柔軟剤、乳化剤、好ましくは国際公開第２００５／１２３１０１号に記載されているもの、酵素、他の精油、好ましくは米国特許出願公開第２００８／００７０８２５号に記載されているもの、昆虫忌避剤、好ましくは国際公開第２００５／１２３１０１号に記載されているもの、繊維、皮膜形成剤、他の定着剤、起泡剤、気泡安定剤、起泡を防止する物質、起泡力増進剤、殺真菌剤、ゲル化剤、ゲル形成剤、好ましくは国際公開第２０５／１２３０１号に記載されているもの、ヘアケア製品、ヘアスタイリング剤、ヘアストレート剤、水分調節剤（水分供与剤、保湿性物質、水分保持物質）、好ましくは国際公開第２００５／１２３１０１号に記載されているもの、浸透圧調節物質、好ましくは国際公開第２００５／１２３１０１号に記載されているもの、適合溶質、好ましくは国際公開第０１／７６５７２号および国際公開第０２／１５８６８号に記載されているもの、漂白剤、補強剤、しみ除去剤、蛍光増白剤、含浸剤、汚れ忌避剤、摩擦低減剤、滑沢剤、保湿性クリーム、軟膏剤、不透明化剤、可塑剤、被覆剤、つや出し、光沢剤、ポリマー、好ましくは国際公開第２００８／０４６６７６号に記載されているもの、粉末、タンパク質およびタンパク質加水分解物、好ましくは国際公開第２００５／１２３１０１号および国際公開第２００８／０４６６７６号に記載されているもの、好ましくはコレステロールおよび／もしくは脂肪酸および／もしくはセラミドおよび／もしくは疑似セラミドを含有する脂質補充クリーム、つや出し剤、皮膚鎮静剤、皮膚清浄剤、皮膚ケア剤、皮膚修復剤、好ましくは国際公開第２００６／０５３９１２号に記載されているもの、皮膚美白剤、好ましくは国際公開第２００７／１１０４１５号に記載されているもの、皮膚保護剤、皮膚柔軟剤、皮膚冷却剤、好ましくは国際公開第２００５／１２３１０１号に記載されているもの、皮膚加温剤、好ましくは国際公開第２００５／１２３１０１号に記載されているもの、安定剤、ＵＶ吸収剤およびＵＶフィルター、好ましくは国際公開第２００５／１２３１０１号に記載されているもの、ベンジリデン−ベータ−ジカルボニル化合物、好ましくは国際公開第２００５／１０７６９２号に記載されているもの、アルファ−ベンゾイル−ケイヒ酸ニトリル、好ましくは国際公開第２００６／０１５９５４号に記載されているもの、ＡｈＲ受容体アンタゴニスト、好ましくは国際公開第２００７／１２８７２３号および国際公開第２００７／０６０２５６号に記載されているもの、洗剤、ファブリックコンディショナー、懸濁化剤、皮膚日焼け剤、好ましくは国際公開第２００６／０４５７６０号に記載されているもの、粘稠化剤、ビタミン、好ましくは国際公開第２００５／１２３１０１号に記載されているもの、油、ロウおよび他の脂肪、好ましくは国際公開第２００５／１２３１０１号に記載されているもの、リン脂質、好ましくは国際公開第２００５／１２３１０１号に記載されているもの、脂肪酸（飽和脂肪酸および一価もしくは多価不飽和脂肪酸ならびにα−ヒドロキシ酸およびポリヒドロキシ脂肪酸）、好ましくは国際公開第２００５／１２３１０１号に記載されているもの、液化剤、染料および色保護剤および顔料、好ましくは国際公開第２００５／１２３１０１号に記載されているもの、錆止め剤、アルコールおよびポリオール、好ましくは国際公開第２００５／１２３１０１号に記載されているもの、他の界面活性剤、好ましくは国際公開第２００５／１２３１０１号に記載されているもの、動物抽出物、酵母抽出物、藻類もしくは微細藻類からの抽出物、電解質、液化剤、有機溶媒、好ましくは国際公開第２００５／１２３１０１号に記載されているもの、発毛調節剤（発毛促進剤または発毛抑制剤）、好ましくは欧州特許第２１６８５７０号および欧州特許第２１９３７８５号に記載されているもの、またはシリコーンおよびシリコーン誘導体、好ましくは国際公開第２００８／０４６６７６号に記載されているもの、酸素放出化合物、好ましくは炭酸ナトリウム過酸化水素化物、ペルカーボネート（percabonate）、ペルボレート、次亜塩素酸ナトリウム、次亜塩素酸カリウム、塩、好ましくは硫酸ナトリウム、リン酸カルシウム、ケイ酸カルシウム、ケイ酸マグネシウム、炭酸ナトリウム、賦形剤または増量剤。
【００５３】
好ましくは、別の基材が存在する場合それを、以上に定義した組成物（ｉｉ）中に、組成物の全質量に対して最大で９５質量％の量、好ましくは０．０００１質量％〜９０質量％の量、より好ましくは０．０１質量％〜８０質量％の量で含むことができる。好ましくは、別の佐剤および添加剤が存在する場合それらを、以上に定義した組成物（ｉｉ）中に、組成物の全質量に対して最大で９５質量％の量、好ましくは０．０００１質量％〜８０質量％の量で含むことができる。
化合物が以上に定義した組成物（ｉｉ）の群（Ａ）または（Ｂ）の化合物のカテゴリーに入ると同時に、以上に定義した組成物（ｉｉ）の群（Ｃ）の化合物のカテゴリーにも入る場合、組成物（ｉｉ）の全量に対して組成物（ｉｉ）中に含まれている各成分の割合を質量％で計算するという点から、化合物をそれぞれ群（Ａ）または（Ｂ）の化合物の群に割り当て、群（Ｃ）の化合物には割り当てないものとする。同じことは、組成物（ｉｉ）中に存在し、本明細書に定義される群（Ａ）および（Ｂ）に入ることができるいずれか他の化合物に適用される。
【００５４】
本発明による好ましい実施形態において、以上に定義した組成物（ｉｉ）は、モル質量が＜２２５ｇ／ｍｏｌおよび水溶解度計算値が＞０．６ｍｇ／Ｌのアセタール（群（Ｃ）を参照のこと）からなる群、好ましくは２−イソブチル−４−ビニル−１，３−ジオキソラン、６，６−ジメトキシ−２，５，５−トリメチル−ヘキサ−２−エン（Ａｍａｒｏｃｉｔ（登録商標））、ヒヤシンスボディ、フロロパール、マグノラン、（２Ｒ，４Ｓ）−２−メチル−４−フェニル−１，３−ジオキソラン（Ｊａｃｉｎｔｈａｆｌｏｒ（登録商標））、フェニルアセトアルデヒドジメチルアセタール、４，４ａ，５，９ｂ−テトラヒドロインデノ［１，２−ｄ］［１，３］ジオキシン（Ｉｎｄｏｆｌｏｒ（登録商標））、シトラールジエチルアセタール、ヒドロキシルシトロネラールジメタセタール、フェニルアセトアルデヒドグリセリルアセタ−ル、ヘリオトロピン、ヘリオナールからなる群（ここで、これらの化合物は、水溶解度の要件＞０．６ｍｇ／Ｌを満たす）から選択される１つまたは複数の化合物、特に好ましくは２−イソブチル−４−ビニル−１，３−ジオキソランを含む。
【００５５】
本発明による好ましい実施形態において、以上に定義した製品の容器（ｉ）は、ＰＥおよび／またはＰＰ、好ましくはＰＥ、より好ましくはＨＤＰＥおよび／またはＬＤＰＥを含みまたはそれらからなり、あるいはＰＥおよび／またはＰＰ、好ましくはＰＥ、より好ましくはＨＤＰＥおよび／またはＬＤＰＥで作製される。
異なるタイプの製品のパッケージングに使用されるプラスチック容器は、ＰＥおよび／またはＰＰから作製される。というのは、それらが、高い化学安定性をもつ、安定で入手可能な材料であるからである。それらは、食品に対して安全であり、容易に洗浄することができ、高ＵＶ耐性を示す。したがって、以上に定義した製品をパッケージングするのに理想的な選択肢である。
【００５６】
本発明による別の好ましい実施形態において、以上に定義した製品の容器（ｉ）は、好ましくはラッピング、箱詰め、パッケージング、シェル、コーティング、またはエンベロープ、好ましくはパッケージングの形態をした、輸送、取扱いおよび／または貯蔵用の容器である。
本発明による別の好ましい実施形態において、以上に定義した製品の容器（ｉ）は、刷り込みされた容器および／または刷り込みされたラベル付きの容器である。
本発明による別の好ましい実施形態において、以上に定義した製品の容器（ｉ）は、壁厚が０．０１ｍｍ〜１．５ｍｍ、好ましくは壁厚が０．０５ｍｍ〜０．９ｍｍ、より好ましくは壁厚が０．１〜０．７ｍｍ、特に好ましくは壁厚が０．１５ｍｍ〜０．２５ｍｍの、パターン形成されたまたは平坦な容器である。
当業者は、以上に定義した組成物（ｉｉ）を輸送、取扱いおよび／または貯蔵するための容器のよくみられる適当な形態のすべてを知っており、使用することができる。
【００５７】
本発明による別の好ましい実施形態は、群（Ａ）が存在する場合その化合物の全量が、０．０５質量％〜０．５質量％の範囲であり、群（Ｂ）が存在する場合その化合物の全量が、０．０１質量％〜１０質量％未満の範囲であり、より好ましくは０．０１質量％〜１．２５質量％の範囲であり、いずれの場合も組成物の全量に対する質量％である、以上に定義した製品である。
基礎研究に関連して、驚くべきことに、本発明の特に好ましい実施形態において、組成物（ｉｉ）中において群（Ａ）が存在する場合その化合物および群（Ｂ）が存在する場合その化合物の全量は、以上に定義した範囲に限定されることが明らかになった。そのような組成物（ｉｉ）から、以上に定義した組成物（ｉｉ）と以上に定義した容器（ｉ）のプラスチックの相互作用が最小まで低減され、上記の有害な影響の１つまたは複数、好ましくはすべてが回避または低減される、特に安定な製品が導かれる。
【００５８】
本発明による別の好ましい実施形態は、水（成分（Ｄ））が存在する場合その全量が、組成物の全量に対して０．０００１質量％〜９９質量％、好ましくは０．１質量％〜９９質量％、より好ましくは３５質量％〜９９質量％の範囲である、以上に定義した製品である。
【００５９】
本発明による具体的な例示的実施形態は、水（成分（Ｄ））が存在する場合その全量が、組成物の全量に対して０．０００１質量％〜５質量％の範囲である、以上に定義した洗剤粉末製品である。
本発明による別の好ましい実施形態は、成分（Ｄ）による溶媒が存在する場合その全量が、組成物の全量に対して０．００１質量％〜９９質量％の範囲である、以上に定義した製品である。
本発明による好ましい実施形態は、成分（Ｄ）による溶媒が存在する場合その全量が、組成物の全量に対して０．００１質量％〜２質量％の範囲である、以上に定義した洗剤粉末製品である。
本発明による別の好ましい実施形態は、成分（Ｅ）による表面活性化合物が存在する場合その全量が、組成物の全量に対して０．５質量％〜５０質量％の範囲である、以上に定義した製品である。
【００６０】
前に示したように、以上に定義した製品または組成物（ｉｉ）は、好ましくは、香料抽出物、オーデパルファム、オードトワレ、アフターシェーブローション、オーデコロン、プレシェイブ製品、スプラッシュコロンおよび香料付きフレッシュニングワイプ、酸性、アルカリ性および中性洗浄剤、例えば、床用洗浄剤、窓用洗浄剤、食器洗い用洗剤、浴槽およびサニタリー洗浄剤、擦り磨き用ミルク、固体および液体ＷＣ洗浄剤、粉末およびフォーム状じゅうたん洗浄剤、洗濯用液体洗剤、洗濯用粉体洗剤、漂白剤、浸漬剤およびしみ抜き剤などの洗濯前処理剤、ファブリック柔軟剤、洗濯石けん、洗浄用錠剤、消毒薬、表面消毒薬、液体もしくはゲルの形態をしたまたは固体担体に被着させたインウォッシュ香料、インウォッシュセントブースターおよびエアフレッシュナー、エアロゾルスプレー、家具つや出し、床用ワックス、靴墨などのロウおよびつや出し、ならびに、例えば固体および液体石けん、シャワー用ゲル、シャンプー、コンディショナー、ひげそり用石けん、ひげそり用フォーム、浴用オイルなどのボディケア組成物、例えばスプレー、ロールオン、クリーム、スティック、固形物などの防臭剤および制汗剤（antisperspirant）、例えばスキンクリームおよびローション、フェースクリームおよびローション、日焼け止めクリームおよびローション、アフターサンクリームおよびローション、ハンドクリームおよびローション、フットクリームおよびローション、脱毛クリームおよびローション、アフターシェーブクリームおよびローション、日焼けクリームおよびローションなどの水中油型、油中水型および水中油中水型の化粧品エマルション、例えばヘアスプレー、ヘアジェル、ヘアセットローション、ヘアリンス、永久および半永久的毛髪着色剤、コールドパーマなどのヘアシェイピング組成物、ならびにヘアスムージング組成物、ヘアトニック、ヘアクリームおよびローションなどの毛髪ケア製品、例えば脇の下用スプレー、ロールオン、防臭スティック、防臭クリームなどの防臭剤および制汗剤、例えばアイシャドー、マニキュア、ファンデーション、口紅、マスカラなどの装飾化粧品、およびろうそく、灯油、線香、殺虫剤、忌避剤、噴射剤中の製品、口腔ケア用組成物、特に練り歯磨き、歯磨き用ジェル、歯磨き粉、洗口剤、チューインガムおよび他の口腔ケア剤などの口腔および／または歯ケア剤を含むまたはそれらからなる群から選択される。
【００６１】
本発明による特に好ましい実施形態は、製品または組成物（ｉｉ）が、洗濯物ケア（例えば、柔軟剤、洗剤、重質洗剤、液体洗剤、粉末洗剤、ファブリック（リ）フレッシャー、インウォッシュ香料、インウォッシュセントブースター）、ホームケア（例えば、洗浄剤）、空気ケア（例えば、含水エアフレッシュナー、エアフレッシュナー、電気機器、膜エアフレッシュナー）、パーソナルケア（例えば、クリーム、ボディローション、シャンプー、コンディショナー、シャワー用ゲル、ヘアスプレー、日焼け止めローション／スプレー、防臭剤）、口腔ケア（例えば、練り歯磨き、マウスウォーター）、香水製品（例えば、ＥＤＴ、ＥｄＣ）からの製品からなる群から選択される、以上に定義した製品である。
【００６２】
本発明はまた、以上に定義した製品を生成する方法であって、
（Ｉ）ＰＥおよび／またはＰＰおよび／またはＰＥＴを含むまたはそれらからなる容器（ｉ）、好ましくは以上に定義した容器を用意するステップと、
（ＩＩ）以上に定義した組成物（ｉｉ）を用意するステップと、
（ＩＩＩ）組成物（ｉｉ）を容器（ｉ）に充填するステップと、
（ＩＶ）１つまたは複数の別の物質を容器に充填してもよいステップと、
（Ｖ）容器を閉鎖および／または密封してもよいステップと
からなるまたはそれらを含む方法にも関する。
本発明による方法の好ましい実施形態は、以上に説明した本発明による製品の好ましい実施形態に対応し、またはそれらに由来することができる。
本発明を、次に例を参照してさらに詳細に説明する。本発明の別の態様は、添付の特許請求の範囲で開示される。
【実施例】
【００６３】
（例１）
化合物のカテゴリーおよび挙動を決定するために、各化合物の異なる３タイプのプラスチックＬＤ−ＰＥ、ＰＰおよびＰＥＴ−Ｇに対する影響を調査した。
プラスチック品目：
ＰＥＴ−Ｇ  ポリエチレンテレフタレートグリコール  （Ｖｉｖａｋ、Ｒｏｃｈｏｌｌ  ＧｍｂＨ）
ＰＰ        ポリプロピレン                        （Ｓｉｍｏｎａ  ＤＷＳＴ、Ｒｏｃｈｏｌｌ  ＧｍｂＨ社）
ＬＤ−ＰＥ  低密度ポリエチレン                    （Ｓｉｍｏｎａ  ＰＥＷ、Ｒｏｃｈｏｌｌ  ＧｍｂＨ社）
【００６４】
試験方法：
１３ｍｍ×４３ｍｍ×２ｍｍの各プラスチック品目を計量し、１０％単一被験化合物のＤＰＧ溶液で満たされている１０ｍＬのガラスジャー中、４０℃で４週間貯蔵した。貯蔵後に、プラスチック品目をジャーから取り出し、エタノールに浸漬することによって注意深くすすいだ。すすいだプラスチック品目を、紙タオルでそっと押さえ、直ちに計量した。プラスチック品目の貯蔵の前後の質量を比較し、質量の増加または減少の百分率を決定した。
さらに、プラスチック品目の外観を評価した。プラスチック品目の様々な評価品質を以下の通り分類した。
【００６５】
2019532136.tif 000011
【００６６】
カテゴリーＡ化合物は、４０℃で４週間後、５質量％以上の質量増加および／または色変化を示した。
カテゴリーＢ化合物は、２質量％〜５質量％未満の範囲の質量増加ならびに／または質感変化、形態変化および不透明のような外観の他の変化を示した。
カテゴリーＣ化合物は、２質量％未満の質量増加を示し、外観の変化を示さなかった。
以下の表１は、いくつかの化合物の結果ならびにそれらの割り当てられたカテゴリーＡおよびＢを示し、カテゴリーＣのいくらかの化合物の結果を、以下の表２に示す。
【表１】
2019532136.tif 000012
【００６７】
【表２】
2019532136.tif 000013
【００６８】
（例２）：香料組成物Ａ
【表３−１】
2019532136.tif 000014
【表３−２】
2019532136.tif 000015
【表３−３】
2019532136.tif 000016
【表３−４】
2019532136.tif 000017
【表３−５】
2019532136.tif 000018
【表３−６】
2019532136.tif 000019
【００６９】
（例３）：柔軟剤
【表４】
2019532136.tif 000020
【００７０】
（例４）：石けん
【表５】
2019532136.tif 000021
【００７１】
（例５）：粉末洗剤
【表６】
2019532136.tif 000022
【００７２】
（例６）：液体洗浄剤
【表７】
2019532136.tif 000023
【００７３】
水を約３５℃に加熱する。撹拌しながら、ケルザンを水に散布し、撹拌をもう３０分維持して、水和を完了させる。残っている成分を所与の順序で添加し、溶解する。ブレードまたはプロペラミキサーの使用によって、良好な結果が得られるはずである。
【００７４】
（例７）：メーキャップ除去剤
【表８】
2019532136.tif 000024
生成は、Ｂｅｃｏｍｉｘ中で行われる。
【００７５】
相Ａを生成するためには、グリセリンおよびＳｕｒｆｈｏｐｅ（登録商標）Ｃ１２１６をＢｅｃｏｍｉｘに入れ、−０．５バール、０．３ｍ／秒で撹拌し、次いでＴｕｒｒａｘの助けによって３ｍ／秒で４分間均質化する。Ｓｕｒｆｈｏｐｅ（登録商標）Ｃ１２１６が完全に溶解すると、Ｓｕｒｆｈｏｐｅ（登録商標）Ｃ１６１６を添加し、それによって０．３ｍ／秒での撹拌を継続する。その後の均質化は、Ｔｕｒｒａｘの助けによって３ｍ／秒で４分間行われる。次いで、水を添加し、再びＴｕｒｒａｘの助けによって３ｍ／秒で６分間均質化する。この混合物を、０．３ｍ／秒で撹拌下に８０℃に加熱し、次いで５０℃にし、再びＴｕｒｒａｘの助けによって３ｍ／秒で２分間均質化する。その後、温度を８０℃に上げ、−０．６バールの圧力を調整する。
【００７６】
相Ｂの生成が８０℃で行われる。８０℃の温度で、相Ｂの成分を非常にゆっくり、連続して相互に混合し、次いで０．５ｍ／秒で撹拌し、Ｔｕｒｒａｘの助けによって３ｍ／秒で２分間均質化する。油の４分の１を煮沸器に入れてから、均質化ステップが、Ｔｕｒｒａｘの助けによって５ｍ／秒で４分間行われる。油の半分を添加した後、再びＴｕｒｒａｘの助けによって５ｍ／秒で４分間均質化し、撹拌速度を０．８ｍ／秒に上げる。油の４分の３を添加してから、続けてＴｕｒｒａｘの助けによって５ｍ／秒で４分間の均質化ステップおよび撹拌速度の１ｍ／秒への増加を行う。次いで、油の残りの量を添加し、１．２ｍ／秒で撹拌する。
相Ｃを添加した後、圧力を−０．８バールに上げ、Ｔｕｒｒａｘの助けによって５ｍ／秒で４分間均質化する。調製物を、０．５ｍ／秒で撹拌下に２５℃に冷却し、それによって撹拌速度を下げる。次いで、相Ｄを４０℃で添加する。
【００７７】
色体系Ｉ：０．１％Ｄ＆Ｃ  Ｒｅｄ  Ｎｏ．１７（Ｃ．Ｉ．２６１００）のパルミチン酸イソプロピル溶液
色体系ＩＩ：０．１％Ｐｈａｔ  Ｂｒｏｗｎ  ＤＣ  ８２０６（Ｃ．Ｉ．４７０００、Ｃ．Ｉ．２６１００、Ｃ．Ｉ．  ６０７２５）のパルミチン酸イソプロピル溶液
最終調製物は、６９２８０ｃＰの粘度を有する。
【００７８】
（例８）：シャンプー
【表９】
2019532136.tif 000025
槽で、均質化するまで撹拌しながら、構成成分すべてを列挙した順序で室温にて導入する。必要なら、ｐＨをクエン酸または水酸化ナトリウムで６に調整する。
【００７９】
（例９）：リップケアスティック
【表１０】
2019532136.tif 000026
生成するためには、香料を除いてリストの順序で成分のすべてを、７０℃に温める間に溶融し、均質化する。５０℃の温度で、香料を添加し、均質化する。
【００８０】
（例１０）：食器手洗い用液体洗剤
【表１１】
2019532136.tif 000027
構成成分１〜７を所与の順序で混合する。次の構成成分を添加する前に、各構成成分が完全に溶解していることを確認する。ｐＨ値をクエン酸で調整する。
【００８１】
（例１１）：ナイトクリーム
【表１２】
2019532136.tif 000028
【００８２】
生成するためには、相Ａおよび相Ｂをそれぞれ別々に８０℃に温める。次いで、Ｕｌｔｒａ−Ｔｕｒｒａｘを使用しながら、相Ｂを相Ａに添加し、乳化する。パドル撹拌機で撹拌しながら、この混合物を冷却し、次いで再び６０℃で乳化する。混合物が約３５℃の温度に到達したら、相Ｃを添加する。
【００８３】
（例１２）：液体石けん：
【表１３】
2019532136.tif 000029
槽で、均質化するまで撹拌しながら、構成成分すべてを列挙した順序で室温にて導入する。必要なら、ｐＨをクエン酸または水酸化ナトリウムで最終ｐＨ  ６に調整する。
【００８４】
（例１３）：洗剤石けんバー
【表１４】
2019532136.tif 000030
（例１４）：食器洗浄用液体
【００８５】
【表１５】
2019532136.tif 000031
すべての構成成分を所与の順序で混合する。次の構成成分を添加する前に、各構成成分が完全に溶解していることを確認する。ｐＨ値をクエン酸でｐＨ値７に調整する。
【００８６】
（例１５）：ヘアコンディショナー
【００８７】
【表１６】
2019532136.tif 000032
（例１６）：重質液体洗剤
【００８８】
【表１７】
2019532136.tif 000033
構成成分１および２を混合する。５０℃まで加熱する。構成成分３および４を添加し、石けんが形成されるまで撹拌する。構成成分５〜１０を所与の順序で添加する。３０℃まで冷却する。構成成分１１〜１４を所与の順序で添加する。必要なら、ｐＨを８．５に調整する。
【００８９】
（例１７）：液体洗剤
【表１８】
2019532136.tif 000034
他のすべての構成成分を所与の順序で添加する。次の構成成分を添加する前に、構成成分ごとに溶解していることを確認する。必要な場合には、ｐＨをクエン酸で９に調整する。
【００９０】
（例１８）：透明な防臭スティック（Ａ）およびクリーム防臭スティック（Ｂ）
【表１９】
2019532136.tif 000035
【００９１】
（例１９）：エアロゾルスプレー
【表２０】
2019532136.tif 000036
【００９２】
（例２０）：日焼け止めスプレー
【表２１】
2019532136.tif 000037
ララケアＡ−２００を相Ａの構成成分中で撹拌することによって溶解する。ペムレンを除いて相Ｂのすべての構成成分を混合し、すべてのものが溶解するまでわずかに加熱する。ペムレンを添加し、均質化する。次いで、相Ａおよび相Ｂを混合し、１分間均質化する。相Ｃ、ＤおよびＥを添加し、Ｕｌｔｒａ  ｔｕｒｒａｘで１〜２分間均質化する。
【００９３】
（例２１）：日焼け止めミルク
【表２２】
2019532136.tif 000038
【国際調査報告】
2019532136.tif 000048
2019532136.tif 000049
2019532136.tif 000050
2019532136.tif 000051
2019532136.tif 000052